(57)【要約】【課題】良好な光学性能を有する光学系、光学機器、光学系の製造方法を提供する。【解決手段】物体側から順に、正の屈折力を有する前群ＧＦと、開口絞りＳと、後群ＧＲとからなり、前群ＧＦは、正の屈折力を有する前側合焦群ＧＦＦを有し、後群ＧＲは、正の屈折力を有する後側合焦群ＧＲＦを有し、合焦時に前側合焦群ＧＦＦと後側合焦群ＧＲＦが物体側に移動し、所定の条件式を満足する。【選択図】図１
2019113576.tif 000002
【特許請求の範囲】
【請求項１】
物体側から順に、正の屈折力を有する前群と、開口絞りと、後群とからなり、
前記前群は、正の屈折力を有する前側合焦群を有し、
前記後群は、正の屈折力を有する後側合焦群を有し、
合焦時に前記前側合焦群と後側合焦群が物体側に移動し、
以下の条件式を満足する光学系。
０．２５０＜ＸＲＦ／ＸＦＦ＜１．５００
ただし、
ＸＦＦ：無限遠物体から近距離物体への合焦時の前記前側合焦群の移動量
ＸＲＦ：無限遠物体から近距離物体への合焦時の前記後側合焦群の移動量
【請求項２】
合焦時に前記開口絞りの位置が固定である請求項１に記載の光学系。
【請求項３】
以下の条件式を満足する請求項１又は２に記載の光学系。
０．４００＜Ｂｆ／ｆ＜２．０００
ただし、
Ｂｆ：無限遠物体合焦時の最も像側に位置するレンズの像側レンズ面から像面までの距離
ｆ：無限遠物体合焦時の前記光学系の焦点距離
【請求項４】
以下の条件式を満足する請求項１から３のいずれか一項に記載の光学系。
０．１００＜ＳＴ／ＴＬ＜０．６００
ただし、
ＳＴ：無限遠物体合焦時の前記開口絞りから像面までの距離
ＴＬ：無限遠物体合焦時の前記最も物体側に位置するレンズの物体側レンズ面から像面までの距離
【請求項５】
以下の条件式を満足する請求項１から４のいずれか一項に記載の光学系。
０．２００＜βＲＦ／βＦＦ＜１．１００
ただし、
βＦＦ：前記前側合焦群の倍率
βＲＦ：前記後側合焦群の倍率
【請求項６】
合焦時に最も物体側に位置するレンズ群の位置が固定である請求項１から５のいずれか一項に記載の光学系。
【請求項７】
合焦時に最も像側に位置するレンズ群の位置が固定である請求項１から６のいずれか一項に記載の光学系。
【請求項８】
前記前側合焦群は、少なくとも１枚の正レンズと、少なくとも１枚の負レンズとを有する請求項１から７のいずれか一項に記載の光学系。
【請求項９】
前記後側合焦群は、少なくとも１枚の正レンズと、少なくとも１枚の負レンズとを有する請求項１から８のいずれか一項に記載の光学系。
【請求項１０】
前記後群は、物体側から順に、前記後側合焦群と、負の屈折力を有する負レンズ群とを有する請求項１から９のいずれか一項に記載の光学系。
【請求項１１】
以下の条件式を満足する請求項１０に記載の光学系。
０．８００＜（−ｆＲＢ）／ｆ＜１０．０００
ただし、
ｆＲＢ：前記負レンズ群の焦点距離
ｆ：無限遠物体合焦時の前記光学系の焦点距離
【請求項１２】
以下の条件式を満足する請求項１から１１のいずれか一項に記載の光学系。
０．０６０＜Ｂｆ／ＴＬ＜０．６５０
ただし、
Ｂｆ：無限遠物体合焦時の最も像側に位置するレンズの像側レンズ面から像面までの距離
ＴＬ：無限遠物体合焦時の前記最も物体側に位置するレンズの物体側レンズ面から像面までの距離
【請求項１３】
以下の条件式を満足する請求項１から１２のいずれか一項に記載の光学系。
０．０１０＜ＸＲＦ／ｆ＜０．２４０
ただし、
ＸＲＦ：無限遠物体から近距離物体への合焦時の前記後側合焦群の移動量
ｆ：無限遠物体合焦時の前記光学系の焦点距離
【請求項１４】
最も物体側に位置するレンズが負の屈折力を有する請求項１から１３のいずれか一項に記載の光学系。
【請求項１５】
前記後群が正の屈折力を有する請求項１から１４のいずれか一項に記載の光学系。
【請求項１６】
以下の条件式を満足する請求項１から１５のいずれか一項に記載の光学系。
０．０１０＜ｆＲＦ／ｆＦＦ＜０．９００
ただし、
ｆＦＦ：前記前側合焦群の焦点距離
ｆＲＦ：前記後側合焦群の焦点距離
【請求項１７】
以下の条件式を満足する請求項１から１６のいずれか一項に記載の光学系。
０．３００＜ｆＦ／ｆＲ＜１．３００
ただし、
ｆＦ：無限遠物体合焦時の前記前群の焦点距離
ｆＲ：無限遠物体合焦時の前記後群の焦点距離
【請求項１８】
前記前群は、物体側から順に、正の屈折力を有する正レンズ群と、前記前側合焦群とを有する請求項１から１７のいずれか一項に記載の光学系。
【請求項１９】
以下の条件式を満足する請求項１から１８のいずれか一項に記載の光学系。
０．０１０＜ｆＦＡ／ｆＦＦ＜０．７５０
ただし、
ｆＦＡ：前記正レンズ群の焦点距離
ｆＦＦ：前記前側合焦群の焦点距離
【請求項２０】
以下の条件式を満足する請求項１から１９のいずれか一項に記載の光学系。
０．０１０＜ｆ／ｆＦＦ＜０．３００
ただし、
ｆ：無限遠物体合焦時の前記光学系の焦点距離
ｆＦＦ：前記前側合焦群の焦点距離
【請求項２１】
以下の条件式を満足する請求項１から２０のいずれか一項に記載の光学系。
０．３００＜ｆ／ｆＲＦ＜１．１００
ただし、
ｆ：無限遠物体合焦時の前記光学系の焦点距離
ｆＲＦ：前記後側合焦群の焦点距離
【請求項２２】
以下の条件式を満足する請求項１から２１のいずれか一項に記載の光学系。
０．８００＜ＴＬ／（Ｆｎｏ・Ｂｆ）＜６．０００
ただし、
ＴＬ：無限遠物体合焦時の前記最も物体側に位置するレンズの物体側レンズ面から像面までの距離
Ｆｎｏ：前記光学系の開放Ｆナンバー
Ｂｆ：無限遠物体合焦時の最も像側に位置するレンズの像側レンズ面から像面までの距離
【請求項２３】
以下の条件式を満足する請求項１から２２のいずれか一項に記載の光学系。
｜Ａｉｎｆ−Ａｍｏｄ｜／ｆ＜０．０７０
ただし、
Ａｉｎｆ：無限遠物体合焦時の前記光学系の半画角
Ａｍｏｄ：最至近物体合焦時の前記光学系の半画角
【請求項２４】
前記前側合焦群は、１枚の正レンズと、１枚の負レンズとからなり、
以下の条件式を満足する請求項１から２３のいずれか一項に記載の光学系。
３０．００＜νＦＦｐ−νＦＦｎ＜７５．００
ただし、
νＦＦｐ：前記前側合焦群中の前記正レンズのアッベ数
νＦＦｎ：前記前側合焦群中の前記負レンズのアッベ数
【請求項２５】
以下の条件式を満足する請求項１から２４のいずれか一項に記載の光学系。
−１．０００＜（ＦＦｒ２＋ＦＦｒ１）／（ＦＦｒ２−ＦＦｒ１）＜２．０００
ただし、
ＦＦｒ１：前記前側合焦群中の最も像側に位置する正レンズの物体側レンズ面の曲率半径
ＦＦｒ２：前記前側合焦群中の最も像側に位置する正レンズの像側レンズ面の曲率半径
【請求項２６】
前記前側合焦群が２枚又は３枚のレンズからなる請求項１から２５のいずれか一項に記載の光学系。
【請求項２７】
前記後側合焦群が４枚以内のレンズからなる請求項１から２６のいずれか一項に記載の光学系。
【請求項２８】
最も像側に位置するレンズ群は、像側から順に、正レンズと、負レンズとを有する請求項１から２７のいずれか一項に記載の光学系。
【請求項２９】
以下の条件式を満足する請求項１から２８のいずれか一項に記載の光学系。
０．０３０＜ｎＲＢｐ−ｎＲＢｎ
ただし、
ｎＲＢｐ：最も像側に位置するレンズ群中の正レンズの屈折率
ｎＲＢｎ：最も像側に位置するレンズ群中の負レンズの屈折率
【請求項３０】
最も像側に位置するレンズ群中で最も像側に位置するレンズの像側レンズ面が像側に凸である請求項１から２９のいずれか一項に記載の光学系。
【請求項３１】
以下の条件式を満足する請求項１から３０のいずれか一項に記載の光学系。
１．０００＜ｎＲＢｐ＋０．００５νＲＢｐ＜２．５００
１．０００＜ｎＲＢｎ＋０．００５νＲＢｎ＜２．５００
ただし、
ｎＲＢｐ：最も像側に位置するレンズ群中の正レンズの屈折率
ｎＲＢｎ：最も像側に位置するレンズ群中の負レンズの屈折率
νＲＢｐ：最も像側に位置するレンズ群中の正レンズのアッベ数
νＲＢｎ：最も像側に位置するレンズ群中の負レンズのアッベ数
【請求項３２】
前記前側合焦群と前記開口絞りとが隣り合っている請求項１から３１のいずれか一項に記載の光学系。
【請求項３３】
前記開口絞りと前記後側合焦群とが隣り合っている請求項１から３２のいずれか一項に記載の光学系。
【請求項３４】
前記前群は、前記前側合焦群と前記開口絞りとの間に、合焦時に位置が固定のレンズ群をさらに有する請求項１から３１、３３のいずれか一項に記載の光学系。
【請求項３５】
前記後群は、前記開口絞りと前記後側合焦群との間に、合焦時に位置が固定のレンズ群をさらに有する請求項１から３２、３４のいずれか一項に記載の光学系。
【請求項３６】
請求項１から請求項３５のいずれか一項に記載の光学系を有する光学機器。
【請求項３７】
物体側から順に、正の屈折力を有する前群と、開口絞りと、後群とからなる光学系の製造方法であって、
前記前群が正の屈折力を有する前側合焦群を有するようにし、
前記後群が正の屈折力を有する後側合焦群を有するようにし、
合焦時に前記前側合焦群と後側合焦群が物体側に移動するようにし、
前側合焦群と後側合焦群が以下の条件式を満足するようにする光学系。
０．２５０＜ＸＲＦ／ＸＦＦ＜１．５００
ただし、
ＸＦＦ：無限遠物体から近距離物体への合焦時の前記前側合焦群の移動量
ＸＲＦ：無限遠物体から近距離物体への合焦時の前記後側合焦群の移動量
【発明の詳細な説明】
【技術分野】
【０００１】
本発明は、光学系、光学機器、光学系の製造方法に関する。
【背景技術】
【０００２】
従来、光学系のフォーカシング方式として、光学系の像側のレンズ群を移動させるリアフォーカス方式や、光学系の中間のレンズ群を移動させるインナーフォーカス方式が知られている（例えば、特許文献１を参照。）。しかしながら、開放Ｆナンバーが小さく諸収差の発生しやすい大口径レンズにおいてはレンズ群の移動による収差変動が大きいという問題があった。
【先行技術文献】
【特許文献】
【０００３】
【特許文献１】特開２０１４−１２３０１８号公報
【発明の概要】
【０００４】
本発明の第１の態様は、
物体側から順に、正の屈折力を有する前群と、開口絞りと、後群とからなり、
前記前群は、正の屈折力を有する前側合焦群を有し、
前記後群は、正の屈折力を有する後側合焦群を有し、
合焦時に前記前側合焦群と後側合焦群が物体側に移動し、
以下の条件式を満足する光学系を提供する。
０．２５０＜ＸＲＦ／ＸＦＦ＜１．５００
ただし、
ＸＦＦ：無限遠物体から近距離物体への合焦時の前記前側合焦群の移動量
ＸＲＦ：無限遠物体から近距離物体への合焦時の前記後側合焦群の移動量
【０００５】
本発明の第２の態様は、
物体側から順に、正の屈折力を有する前群と、開口絞りと、後群とからなる光学系の製造方法であって、
前記前群が正の屈折力を有する前側合焦群を有するようにし、
前記後群が正の屈折力を有する後側合焦群を有するようにし、
合焦時に前記前側合焦群と後側合焦群が物体側に移動するようにし、
前側合焦群と後側合焦群が以下の条件式を満足するようにする光学系を提供する。
０．２５０＜ＸＲＦ／ＸＦＦ＜１．５００
ただし、
ＸＦＦ：無限遠物体から近距離物体への合焦時の前記前側合焦群の移動量
ＸＲＦ：無限遠物体から近距離物体への合焦時の前記後側合焦群の移動量
【図面の簡単な説明】
【０００６】
【図１】第１実施例に係る光学系の断面図である。
【図２】第１実施例に係る光学系の諸収差図である。
【図３】第２実施例に係る光学系の断面図である。
【図４】第２実施例に係る光学系の諸収差図である。
【図５】第３実施例に係る光学系の断面図である。
【図６】第３実施例に係る光学系の諸収差図である。
【図７】第４実施例に係る光学系の断面図である。
【図８】第４実施例に係る光学系の諸収差図である。
【図９】第５実施例に係る光学系の断面図である。
【図１０】第５実施例に係る光学系の諸収差図である。
【図１１】第６実施例に係る光学系の断面図である。
【図１２】第６実施例に係る光学系の諸収差図である。
【図１３】第７実施例に係る光学系の断面図である。
【図１４】第７実施例に係る光学系の諸収差図である。
【図１５】第８実施例に係る光学系の断面図である。
【図１６】第８実施例に係る光学系の諸収差図である。
【図１７】第９実施例に係る光学系の断面図である。
【図１８】第９実施例に係る光学系の諸収差図である。
【図１９】第１０実施例に係る光学系の断面図である。
【図２０】第１０実施例に係る光学系の諸収差図である。
【図２１】第１１実施例に係る変倍光学系の断面図である。
【図２２】第１１実施例に係る変倍光学系の広角端状態の諸収差図である。
【図２３】第１１実施例に係る変倍光学系の望遠端状態の諸収差図である。
【図２４】光学系を備えたカメラの構成を示す図である。
【図２５】光学系の製造方法の概略を示す図である。
【発明を実施するための形態】
【０００７】
以下、実施形態の光学系、光学機器及び光学系の製造方法について説明する。
本実施形態の光学系は、物体側から順に、正の屈折力を有する前群と、開口絞りと、後群とからなり、前記前群は、正の屈折力を有する前側合焦群を有し、前記後群は、正の屈折力を有する後側合焦群を有し、無限遠物体から近距離物体への少なくとも一部の合焦時に前記前側合焦群と後側合焦群が物体側に移動し、以下の条件式（１）を満足する。
（１）  ０．２５０＜ＸＲＦ／ＸＦＦ＜１．５００
ただし、
ＸＦＦ：無限遠物体から近距離物体への合焦時の前記前側合焦群の移動量
ＸＲＦ：無限遠物体から近距離物体への合焦時の前記後側合焦群の移動量
【０００８】
従来のレトロフォーカスタイプの広角レンズでは開口絞りの像側に位置するレンズ群を合焦群とする場合、像面変動を抑えるために合焦群を物体側へ大きく移動させる必要があった。
本実施形態の光学系は、開口絞りの物体側に配置した正レンズ群と開口絞りの像側に配置した正レンズ群とを合焦群として物体側へ移動させて合焦を行う構成により、合焦時の諸収差の変動を抑え、特に球面収差と像面湾曲収差を良好に補正することができる。また、合焦群を２つとしたことにより、それぞれの合焦群を軽量化して合焦動作の高速化を図ることもできる。
【０００９】
上記条件式（１）は、合焦時の２つの合焦群の移動量の適切な範囲を規定する条件式である。なお、合焦群が物体側へ移動する場合の移動量を正とし、このことは後述する条件式（７）についても同様である。
【００１０】
本実施形態の光学系の条件式（１）の対応値が下限値を下回ると、後側合焦群の屈折力が大きくなり過ぎて、球面収差やコマ収差等を十分に補正することができなくなってしまう。なお、本実施形態の効果を確実にするために、条件式（１）の下限値を０．３００、更に０．３５０、０．４００、０．４５０とすることがより好ましい。
【００１１】
一方、本実施形態の光学系の条件式（１）の対応値が上限値を上回ると、後側合焦群の屈折力が小さくなり過ぎて、至近距離物体合焦時に十分な性能を確保することができず、像面湾曲収差が補正不足となってしまう。なお、本実施形態の効果を確実にするために、条件式（１）の上限値を１．４００、更に１．３００、１．２００、１．１００、１．０００、０．９００とすることがより好ましい。
【００１２】
以上の構成により、ミラーレスカメラに好適であり、合焦群の軽量化を図りつつ合焦時の諸収差の変動を抑えて良好な光学性能を有する光学系を実現することができる。
【００１３】
また本実施形態の光学系は、合焦時に前記開口絞りの位置が固定であることが望ましい。これにより、球面収差と像面湾曲収差等の諸収差を良好に補正することができ、合焦時の当該諸収差の変動も抑えることができる。
【００１４】
また本実施形態の光学系は、以下の条件式（２）を満足することが望ましい。
（２）  ０．４００＜Ｂｆ／ｆ＜２．０００
ただし、
Ｂｆ：無限遠物体合焦時の最も像側に位置するレンズの像側レンズ面から像面までの距離、即ちバックフォーカス
ｆ：無限遠物体合焦時の前記光学系の焦点距離
【００１５】
上記条件式（２）は、バックフォーカスと光学系全体の焦点距離の適切な範囲を規定する条件式である。なお、条件式（２）中のＢｆには、光学系中にフィルタ等の平行平板がある場合はこれを空気に置き換えて算出した値を用いるものとする。このことは後述する条件式（３）、（６）、（１３）中のＳＴ、ＴＬ及びＢｆについても同様である。
【００１６】
本実施形態の光学系の条件式（２）の対応値が上限値を上回ると、バックフォーカスが大きくなり、テレセントリック性は保たれるものの光学系全体が大型化してしまう。また、大型化に伴う前群の径の増大を抑えようとすれば歪曲収差等を補正することが困難になってしまう。なお、本実施形態の効果を確実にするために、条件式（２）の上限値を１．９００、更に１．８００、１．７００、１．６００、１．５００、１．４００、１．３００、１．２００、１．１００とすることがより好ましい。
【００１７】
一方、本実施形態の光学系の条件式（２）の対応値が下限値を下回ると、射出瞳の位置が物体側へ変位する。このため、シェーディングが顕著となり、特に画面周辺での解像の低下を招いてしまう。なお、本実施形態の効果を確実にするために、条件式（２）の下限値を０．４５０、更に０．５００、０．５５０、０．６００、０．７００とすることがより好ましい。
【００１８】
また本実施形態の光学系は、以下の条件式（３）を満足することが望ましい。
（３）  ０．１００＜ＳＴ／ＴＬ＜０．６００
ただし、
ＳＴ：無限遠物体合焦時の前記開口絞りから像面までの距離
ＴＬ：無限遠物体合焦時の前記最も物体側に位置するレンズの物体側レンズ面から像面までの距離、即ち光学系の全長
【００１９】
上記条件式（３）は、開口絞りから像面までの距離と光学系の全長の適切な範囲を規定する条件式であり、光学系における開口絞りの位置から射出瞳の位置を推し量るものである。
【００２０】
本実施形態の光学系の条件式（３）の対応値が上限値を上回ると、テレセントリック性は保たれるものの光学系の全長が大きくなり小型化を図ることができない。また光学系の全長が増大した状態で前群の径の小型化を図ろうとすれば、歪曲収差等を十分に補正することが困難になってしまう。なお、本実施形態の効果を確実にするために、条件式（３）の上限値を０．５７０、更に０．５５０、０．５３０、０．５００、０．４８０、０．４６０とすることがより好ましい。
【００２１】
一方、本実施形態の光学系の条件式（３）の対応値が下限値を下回ると、開口絞りが適切な位置よりも物体側に配置されることになる。このため、開口絞りで光線を均等に遮ることができず、開口を絞った時の点像に歪みが生じたり、周辺減光が悪化してしまう。また、倍率色収差を補正することも困難になってしまう。なお、本実施形態の効果を確実にするために、条件式（３）の下限値を０．１２０、更に０．１４０、０．１７０、０．２００、０．２５０、０．３００、０．３５０とすることがより好ましい。
【００２２】
また本実施形態の光学系は、以下の条件式（４）を満足することが望ましい。
（４）  ０．２００＜βＲＦ／βＦＦ＜１．１００
ただし、
βＦＦ：前記前側合焦群の倍率
βＲＦ：前記後側合焦群の倍率
【００２３】
上記条件式（４）は、前側合焦群と後側合焦群の適切な倍率の比を規定する条件式である。
【００２４】
本実施形態の光学系の条件式（４）の対応値が上限値を上回ると、後側合焦群の屈折力が大きくなり過ぎて、球面収差やコマ収差等を十分に補正することができなくなってしまう。なお、本実施形態の効果を確実にするために、条件式（４）の上限値を１．０００、更に０．９５０、０．９００、０．８５０、０．８００、０．７５０、０．７００とすることがより好ましい。
【００２５】
一方、本実施形態の光学系の条件式（４）の対応値が下限値を下回ると、後側合焦群の屈折力が小さくなり過ぎて、合焦に必要な倍率を得ることができない。このため、至近距離物体合焦時に十分な性能を確保することができず、像面湾曲収差が補正不足となってしまう。なお、本実施形態の効果を確実にするために、条件式（４）の下限値を０．２２０、更に０．２４０、０．２６０、０．２８０、０．３００、０．３２０、０．３５０、０．３７０とすることがより好ましい。
【００２６】
また本実施形態の光学系は、合焦時に最も物体側に位置するレンズ群の位置が固定であることが望ましい。これにより、合焦時の像倍率の変化が小さく良好な画像を得ることができ、本実施形態の光学系の機械的な構成を簡略化することができる。
【００２７】
また本実施形態の光学系は、合焦時に最も像側に位置するレンズ群の位置が固定であることが望ましい。これにより、適切な大きさのバックフォーカスと十分な射出瞳距離を確保することができ、本実施形態の光学系の機械的な構成を簡略化することができる。
【００２８】
また本実施形態の光学系は、前記前側合焦群は、少なくとも１枚の正レンズと、少なくとも１枚の負レンズとを有することが望ましい。これにより、倍率色収差等の諸収差を良好に補正することができる。
【００２９】
また本実施形態の光学系は、前記後側合焦群は、少なくとも１枚の正レンズと、少なくとも１枚の負レンズとを有することが望ましい。これにより、倍率色収差等の諸収差を良好に補正することができる。
【００３０】
また本実施形態の光学系は、前記後群は、物体側から順に、前記後側合焦群と、負の屈折力を有する負レンズ群とを有することが望ましい。これにより、球面収差や像面湾曲収差等の諸収差を良好に補正することができ、合焦時の当該諸収差の変動も抑えることができる。また、本実施形態の光学系をカメラに搭載した際に撮像素子に対して効率良く光を導くことができる。
【００３１】
また本実施形態の光学系は、以下の条件式（５）を満足することが望ましい。
（５）  ０．８００＜（−ｆＲＢ）／ｆ＜１０．０００
ただし、
ｆＲＢ：前記負レンズ群の焦点距離
ｆ：無限遠物体合焦時の前記光学系の焦点距離
【００３２】
上記条件式（５）は、負レンズ群の焦点距離と光学系全体の焦点距離を規定する条件式である。
【００３３】
本実施形態の光学系の条件式（５）の対応値が上限値を上回ると、負レンズ群の屈折力が小さくなり過ぎる。このため、バックフォーカスが大きくなり光学系が大型化してしまう。また、コマ収差等を十分に補正することができなくなってしまう。なお、本実施形態の効果を確実にするために、条件式（５）の上限値を９．０００、更に８．０００、７．０００、６．０００、５．０００とすることがより好ましい。
【００３４】
一方、本実施形態の光学系の条件式（５）の対応値が下限値を下回ると、負レンズ群の屈折力が大きくなり過ぎる。このため、射出瞳距離を十分に確保することができなくなってしまう。また、歪曲収差等を十分に補正することができなくなってしまう。なお、本実施形態の効果を確実にするために、条件式（５）の下限値を１．０００、更に１．２００、１．４００、１．６００、１．８００、２．０００とすることがより好ましい。
【００３５】
また本実施形態の光学系は、以下の条件式（６）を満足することが望ましい。
（６）  ０．０６０＜Ｂｆ／ＴＬ＜０．６５０
ただし、
Ｂｆ：無限遠物体合焦時の最も像側に位置するレンズの像側レンズ面から像面までの距離
ＴＬ：無限遠物体合焦時の前記最も物体側に位置するレンズの物体側レンズ面から像面までの距離
【００３６】
上記条件式（６）は、バックフォーカスと光学系の全長を規定する条件式であり、射出瞳のおおよその位置を推し量るものである。本実施形態の光学系は、条件式（６）を満足することにより、全長を小さくしても射出瞳が像側へ比較的変位することがないため、光学系の広角化と小型化に有利となる。
【００３７】
本実施形態の光学系の条件式（６）の対応値が上限値を上回ると、バックフォーカスが大きくなり過ぎて光学系が大型化してしまう。或いは、光学系の全長が小さくなり過ぎて球面収差やコマ収差を補正することが困難になってしまう。なお、本実施形態の効果を確実にするために、条件式（６）の上限値を０．６００、更に０．５５０、０．５００、０．４８０、０．４３０、０．４００、０．３７０、０．３００とすることがより好ましい。
【００３８】
一方、本実施形態の光学系の条件式（６）の対応値が下限値を下回ると、射出瞳の位置が像面に近づき過ぎて像面において光線のケラレが生じてしまう。また、これを回避しようとすれば結果的に軸外収差、特にコマ収差を補正することが困難になる可能性があるため好ましくない。なお、本実施形態の効果を確実にするために、条件式（６）の下限値を０．０７０、更に０．０８０、０．０９０、０．１００、０．１１０とすることがより好ましい。
【００３９】
また本実施形態の光学系は、以下の条件式（７）を満足することが望ましい。
（７）  ０．０１０＜ＸＲＦ／ｆ＜０．２４０
ただし、
ＸＲＦ：無限遠物体から近距離物体への合焦時の前記後側合焦群の移動量
ｆ：無限遠物体合焦時の前記光学系の焦点距離
【００４０】
上記条件式（７）は、後側合焦群の移動量の適切な範囲を光学系全体の焦点距離で規定した条件式である。
【００４１】
本実施形態の光学系の条件式（７）の対応値が上限値を上回ると、後側合焦群の屈折力が小さくなり過ぎて、至近距離物体合焦時に十分な性能を確保することができず、像面湾曲収差が補正不足となってしまう。なお、本実施形態の効果を確実にするために、条件式（７）の上限値を０．２２０、更に０．２００、０．１８０、０．１５０とすることがより好ましい。
【００４２】
一方、本実施形態の光学系の条件式（７）の対応値が下限値を下回ると、後側合焦群の屈折力が大きくなり過ぎて、球面収差やコマ収差等を十分に補正することができなくなってしまう。なお、本実施形態の効果を確実にするために、条件式（７）の下限値を０．０１３、更に０．０１６、０．０１９、０．０２２、０．０２４、０．０３０、０．０４０、０．０５０とすることがより好ましい。
【００４３】
また本実施形態の光学系は、最も物体側に位置するレンズが負の屈折力を有することが望ましい。このようにレトロフォーカスタイプでありながら前群全体の屈折力を正とすることにより、大きな画角を確保しつつ最も物体側のレンズ群を小径化することができ、適切なバックフォーカスを確保しながら全長の短縮化を図ることもできる。
【００４４】
また本実施形態の光学系は、前記後群が正の屈折力を有することが望ましい。これにより、球面収差と像面湾曲収差等の諸収差を良好に補正することができ、合焦時の当該諸収差の変動も抑えることができる。
【００４５】
また本実施形態の光学系は、以下の条件式（８）を満足することが望ましい。
（８）  ０．０１０＜ｆＲＦ／ｆＦＦ＜０．９００
ただし、
ｆＦＦ：前記前側合焦群の焦点距離
ｆＲＦ：前記後側合焦群の焦点距離
【００４６】
上記条件式（８）は、２つの合焦群の適切な屈折力配分を焦点距離の比で記したものである。
【００４７】
本実施形態の光学系の条件式（８）の対応値が下限値を下回ると、前側合焦群の屈折力が小さくなり過ぎる。このため、前側合焦群は合焦時のストロークが大きくなり過ぎて正レンズ群と干渉してしまう。或いは、像面湾曲収差を十分に補正することができなくなってしまう。なお、本実施形態の効果を確実にするために、条件式（８）の下限値を０．０１５、更に０．０２０、０．０２４とすることがより好ましい。
【００４８】
一方、本実施形態の光学系の条件式（８）の対応値が上限値を上回ると、後側合焦群の屈折力が大きくなり過ぎる。このため、球面収差等を補正することが難しくなってしまう。なお、本実施形態の効果を確実にするために、条件式（８）の上限値を０．７００、更に０．５００、０．４００、０．３００、０．２５０とすることがより好ましい。
【００４９】
また本実施形態の光学系は、以下の条件式（９）を満足することが望ましい。
（９）  ０．３００＜ｆＦ／ｆＲ＜１．３００
ただし、
ｆＦ：無限遠物体合焦時の前記前群の焦点距離
ｆＲ：無限遠物体合焦時の前記後群の焦点距離
【００５０】
上記条件式（９）は、前群と後群の適切な屈折力配分を規定する条件式である。
【００５１】
本実施形態の光学系の条件式（９）の対応値が上限値を上回ると、後群の屈折力が大きくなり過ぎて、球面収差やコマ収差等を十分に補正することができなくなってしまう。なお、本実施形態の効果を確実にするために、条件式（９）の上限値を１．２００、更に１．１５０、１．１００、１．０５０、１．０００、０．９５０、０．９００、０．８５０、０．８００とすることがより好ましい。
【００５２】
一方、本実施形態の光学系の条件式（９）の対応値が下限値を下回ると、後群の屈折力が小さくなり過ぎて、合焦に必要な倍率を得ることができない。このため、至近距離物体合焦時に十分な性能を確保することができず、像面湾曲収差が補正不足となってしまう。なお、本実施形態の効果を確実にするために、条件式（９）の下限値を０．３３０、更に０．３５０、０．３８０、０．４００、０．４３０、０．４５０、０．４８０、０．５００とすることがより好ましい。
【００５３】
また本実施形態の光学系は、前記前群は、物体側から順に、正の屈折力を有する正レンズ群と、前記前側合焦群とを有することが望ましい。これにより、球面収差と像面湾曲収差等の諸収差を良好に補正することができ、合焦時の当該諸収差の変動も抑えることができる。
【００５４】
また本実施形態の光学系は、以下の条件式（１０）を満足することが望ましい。
（１０）  ０．０１０＜ｆＦＡ／ｆＦＦ＜０．７５０
ただし、
ｆＦＡ：前記正レンズ群の焦点距離
ｆＦＦ：前記前側合焦群の焦点距離
【００５５】
上記条件式（１０）は、前側合焦群の焦点距離と正レンズ群の焦点距離を規定する条件式である。
【００５６】
本実施形態の光学系の条件式（１０）の対応値が上限値を上回ると、前側合焦群の屈折力が大きくなり過ぎるため、倍率色収差等を補正することが難しくなってしまう。なお、本実施形態の効果を確実にするために、条件式（１０）の上限値を０．７００、更に０．６５０、０．６００、０．５５０、０．５００、０．４５０、０．４００、０．３５０、０．３００、０．２５０とすることがより好ましい。
【００５７】
一方、本実施形態の光学系の条件式（１０）の対応値が下限値を下回ると、前側合焦群の屈折力が小さくなり過ぎるため、像面湾曲収差等を補正することが難しくなってしまう。なお、本実施形態の効果を確実にするために、条件式（１０）の下限値を０．０１５、更に０．０２０、０．０２５、０．０３０、０．０３５、０．０４０、０．０４５、０．０５０、０．０６０、０．０７０、０．０８０とすることがより好ましい。
【００５８】
また本実施形態の光学系は、以下の条件式（１１）を満足することが望ましい。
（１１）  ０．０１０＜ｆ／ｆＦＦ＜０．３００
ただし、
ｆ：無限遠物体合焦時の前記光学系の焦点距離
ｆＦＦ：前記前側合焦群の焦点距離
【００５９】
上記条件式（１１）は、前側合焦群の焦点距離と光学系全体の焦点距離を規定する条件式である。
【００６０】
本実施形態の光学系の条件式（１１）の対応値が上限値を上回ると、前側合焦群の屈折力が大きくなり過ぎるため、倍率色収差等を補正することが難しくなってしまう。なお、本実施形態の効果を確実にするために、条件式（１１）の上限値を０．２８０、更に０．２５０、０．２３０、０．２００、０．１８０、０．１６０、０．１４０、０．１２０、０．１００、０．０８０とすることがより好ましい。
【００６１】
一方、本実施形態の光学系の条件式（１１）の対応値が下限値を下回ると、前側合焦群の屈折力が小さくなり過ぎるため、像面湾曲収差等を補正することが難しくなってしまう。なお、本実施形態の効果を確実にするために、条件式（１１）の下限値を０．０１２、更に０．０１４、０．０１６、０．０１７、０．０２０、０．０２５、０．０３０、０．０３５とすることがより好ましい。
【００６２】
また本実施形態の光学系は、以下の条件式（１２）を満足することが望ましい。
（１２）  ０．３００＜ｆ／ｆＲＦ＜１．１００
ただし、
ｆ：無限遠物体合焦時の前記光学系の焦点距離
ｆＲＦ：前記後側合焦群の焦点距離
【００６３】
上記条件式（１２）は、後側合焦群の焦点距離と光学系全体の焦点距離を規定する条件式である。
【００６４】
本実施形態の光学系の条件式（１２）の対応値が上限値を上回ると、後側合焦群の屈折力が小さくなり過ぎる。このため、合焦時の後側合焦群のストロークが大きくなり光学系が大型化してしまう。或いは、像面湾曲収差を十分に補正することができなくなってしまう。なお、本実施形態の効果を確実にするために、条件式（１２）の上限値を１．０５０、更に１．０００、０．９５０、０．９００、０．８５０とすることがより好ましい。
【００６５】
一方、本実施形態の光学系の条件式（１２）の対応値が下限値を下回ると、後側合焦群の屈折力が大きくなり過ぎるため、球面収差等を補正することが難しくなってしまう。なお、本実施形態の効果を確実にするために、条件式（１２）の下限値を０．３５０、更に０．４００、０．４５０、０．５００、０．５５０、０．６００とすることがより好ましい。
【００６６】
また本実施形態の光学系は、以下の条件式（１３）を満足することが望ましい。
（１３）  ０．８００＜ＴＬ／（Ｆｎｏ・Ｂｆ）＜６．０００
ただし、
ＴＬ：無限遠物体合焦時の前記最も物体側に位置するレンズの物体側レンズ面から像面までの距離
Ｆｎｏ：前記光学系の開放Ｆナンバー
Ｂｆ：無限遠物体合焦時の最も像側に位置するレンズの像側レンズ面から像面までの距離
【００６７】
上記条件式（１３）は、光学系を明るい広角レンズとするために、光学系の全長とバックフォーカスの最適なバランスを示す条件式である。
【００６８】
本実施形態の光学系の条件式（１３）の対応値が上限値を上回ると、光学系の全長が増大し、光学系が大型化してしまう。或いは、Ｆナンバーが小さくなるため、球面収差を補正することが困難になってしまう。なお、本実施形態の効果を確実にするために、条件式（１３）の上限値を５．５００、更に５．０００、４．５００、４．３００、４．１００、４．０００、３．８００、３．６００とすることがより好ましい。
【００６９】
一方、本実施形態の光学系の条件式（１３）の対応値が下限値を下回ると、光学系の全長が小さくなり過ぎて、コマ収差等を補正することが困難になってしまう。なお、本実施形態の効果を確実にするために、条件式（１３）の下限値を０．９００、更に１．０００、１．１００、１．３００、１．５００、１．８００、２．０００、２．２００、２．５００とすることがより好ましい。
【００７０】
また本実施形態の光学系は、以下の条件式（１４）を満足することが望ましい。
（１４）  ｜Ａinf−Ａmod｜／ｆ＜０．０７０
ただし、
Ａinf：無限遠物体合焦時の前記光学系の半画角（単位は「°」）
Ａmod：最至近物体合焦時の前記光学系の半画角（単位は「°」）
【００７１】
上記条件式（１４）は、無限遠物体合焦時の入射光線角と最至近物体合焦時の入射光線角の比を規定する条件式であり、合焦時の像倍率の変化を推し量るものである。
【００７２】
本実施形態の光学系の条件式（１４）の対応値が上限値を上回ると、合焦時に像倍率が変化し、良好な画像を得ることができなくなってしまう。なお、本実施形態の効果を確実にするために、条件式（１４）の上限値を０．０６５、更に０．０６０、０．０５５、０．０５０、０．０４５、０．０４０とすることがより好ましい。
【００７３】
また本実施形態の光学系は、前記前側合焦群は、１枚の正レンズと、１枚の負レンズとからなり、以下の条件式（１５）を満足することが望ましい。
（１５）  ３０．００＜νＦＦｐ−νＦＦｎ＜７５．００
ただし、
νＦＦｐ：前記前側合焦群中の前記正レンズのｄ線（λ＝５８７．６ｎｍ）に対するアッベ数
νＦＦｎ：前記前側合焦群中の前記負レンズのｄ線（λ＝５８７．６ｎｍ）に対するアッベ数
【００７４】
上記条件式（１５）は、前側合焦群に含まれる正レンズと負レンズの分散の関係式である。本実施形態の光学系は、条件式（１５）を満足することにより、色収差を良好に補正することができる。
【００７５】
なお、本実施形態の効果を確実にするために、条件式（１５）の上限値を７０．００、更に６５．００、６１．００、５８．００、５６．００とすることがより好ましい。
【００７６】
なお、本実施形態の効果を確実にするために、条件式（１５）の下限値を３５．００、更に４０．００、４５．００、５０．００とすることがより好ましい。
【００７７】
また本実施形態の光学系は、以下の条件式（１６）を満足することが望ましい。
（１６）−１．０００＜（ＦＦｒ２＋ＦＦｒ１）／（ＦＦｒ２−ＦＦｒ１）＜２．０００
ただし、
ＦＦｒ１：前記前側合焦群中の最も像側に位置する正レンズの物体側レンズ面の曲率半径
ＦＦｒ２：前記前側合焦群中の最も像側に位置する正レンズの像側レンズ面の曲率半径
【００７８】
上記条件式（１６）は、前側合焦群中の最も像側に位置する正レンズの形状因子（シェイプファクター）を規定する条件式である。
【００７９】
本実施形態の光学系の条件式（１６）の対応値が上限値を上回ると、当該正レンズの物体側レンズ面の曲率が大きくなり球面収差を補正することが難しくなってしまう。なお、本実施形態の効果を確実にするために、条件式（１６）の上限値を１．５００、更に１．３００、１．０００、０．９００、０．８００、０．７００、０．６００とすることがより好ましい。
【００８０】
一方、本実施形態の光学系の条件式（１６）の対応値が下限値を下回ると、コマ収差等を補正することが難しくなってしまう。なお、本実施形態の効果を確実にするために、条件式（１６）の下限値を−０．８００、更に−０．６００、−０．４００、−０．２００、０．０００とすることがより好ましい。
【００８１】
また本実施形態の光学系は、前記前側合焦群が２枚又は３枚のレンズからなることが望ましい。これにより、前側合焦群の軽量化を図り、オートフォーカスの高速化を達成することができる。
【００８２】
また本実施形態の光学系は、前記後側合焦群が４枚以内のレンズからなることが望ましい。これにより、これにより、後側合焦群の軽量化を図り、オートフォーカスの高速化を達成することができる。
【００８３】
また本実施形態の光学系は、最も像側に位置するレンズ群は、像側から順に、正レンズと、負レンズとを有することが望ましい。これにより、適切な大きさのバックフォーカスと十分な射出瞳距離を確保することができる。
【００８４】
また本実施形態の光学系は、以下の条件式（１７）を満足することが望ましい。
（１７）  ０．０３０＜ｎＲＢｐ−ｎＲＢｎ
ただし、
ｎＲＢｐ：最も像側に位置するレンズ群中の正レンズのｄ線（λ＝５８７．６ｎｍ）に対する屈折率
ｎＲＢｎ：最も像側に位置するレンズ群中の負レンズのｄ線（λ＝５８７．６ｎｍ）に対する屈折率
【００８５】
上記条件式（１７）は、最も像側に位置するレンズ群中の正レンズと負レンズの屈折率差を規定する条件式である。
本実施形態の光学系の条件式（１７）の対応値が下限値を下回ると、ペッツバール和を補正することができなくなり、適切な射出瞳距離とバックフォーカスを保つことができなくなってしまう。なお、本実施形態の効果を確実にするために、条件式（１７）の下限値を０．０４０、更に０．０５０、０．０６０、０．０７０、０．０８０、０．０９０、０．１００とすることがより好ましい。
【００８６】
また本実施形態の光学系は、最も像側に位置するレンズ群中で最も像側に位置するレンズの像側レンズ面が像側に凸であることが望ましい。これにより、適切な射出瞳距離とバックフォーカスを確保することができる。
【００８７】
また本実施形態の光学系は、以下の条件式（１８）、（１９）を満足することが望ましい。
（１８）  １．０００＜ｎＲＢｐ＋０．００５νＲＢｐ＜２．５００
（１９）  １．０００＜ｎＲＢｎ＋０．００５νＲＢｎ＜２．５００
ただし、
ｎＲＢｐ：最も像側に位置するレンズ群中の正レンズのｄ線（λ＝５８７．６ｎｍ）に対する屈折率
ｎＲＢｎ：最も像側に位置するレンズ群中の負レンズのｄ線（λ＝５８７．６ｎｍ）に対する屈折率
νＲＢｐ：最も像側に位置するレンズ群中の正レンズのｄ線（λ＝５８７．６ｎｍ）に対するアッベ数
νＲＢｎ：最も像側に位置するレンズ群中の負レンズのｄ線（λ＝５８７．６ｎｍ）に対するアッベ数
【００８８】
上記条件式（１８）は、最も像側に位置するレンズ群に含まれる正レンズの屈折率と分散の関係を規定する条件式である。本実施形態の光学系は、条件式（１８）を満足することにより、色収差を良好に補正することができる。
【００８９】
なお、本実施形態の効果を確実にするために、条件式（１８）の上限値を２．４００、更に２．３００、２．２００、２．１００とすることがより好ましい。
【００９０】
なお、本実施形態の効果を確実にするために、条件式（１８）の下限値を１．２００、更に１．４００、１．６００、１．８００とすることがより好ましい。
【００９１】
上記条件式（１９）は、最も像側に位置するレンズ群に含まれる負レンズの屈折率と分散の関係を規定する条件式である。本実施形態の光学系は、条件式（１９）を満足することにより、色収差を良好に補正することができる。
【００９２】
なお、本実施形態の効果を確実にするために、条件式（１９）の上限値を２．４００、更に２．３００、２．２００、２．１００とすることがより好ましい。
【００９３】
なお、本実施形態の効果を確実にするために、条件式（１９）の下限値を１．２００、更に１．４００、１．６００、１．８００とすることがより好ましい。
【００９４】
また本実施形態の光学系は、前記前側合焦群と前記開口絞りとが隣り合っていることが望ましい。これにより、球面収差と像面湾曲収差等の諸収差を良好に補正することができ、合焦時の当該諸収差の変動も抑えることができる。
【００９５】
また本実施形態の光学系は、前記開口絞りと前記後側合焦群とが隣り合っていることが望ましい。これにより、球面収差と像面湾曲収差等の諸収差を良好に補正することができ、合焦時の当該諸収差の変動も抑えることができる。
【００９６】
また本実施形態の光学系は、前記前群は、前記前側合焦群と前記開口絞りとの間に、合焦時に位置が固定のレンズ群をさらに有することが望ましい。これにより、球面収差と像面湾曲収差等の諸収差を良好に補正することができ、合焦時の当該諸収差の変動も抑えることができる。
【００９７】
また本実施形態の光学系は、前記後群は、前記開口絞りと前記後側合焦群との間に、合焦時に位置が固定のレンズ群をさらに有することが望ましい。これにより、球面収差と像面湾曲収差等の諸収差を良好に補正することができ、合焦時の当該諸収差の変動も抑えることができる。
【００９８】
実施形態の光学機器は、上述した構成の光学系を有する。これにより、ミラーレスカメラに好適であり、合焦群の軽量化を図りつつ合焦時の諸収差の変動を抑えて良好な光学性能を有する光学機器を実現することができる。
【００９９】
実施形態の光学系の製造方法は、物体側から順に、正の屈折力を有する前群と、開口絞りと、後群とからなる光学系の製造方法であって、前記前群が正の屈折力を有する前側合焦群を有するようにし、前記後群が正の屈折力を有する後側合焦群を有するようにし、合焦時に前記前側合焦群と後側合焦群が物体側に移動するようにし、前側合焦群と後側合焦群が以下の条件式（１）を満足するようにする。これにより、ミラーレスカメラに好適であり、合焦群の軽量化を図りつつ合焦時の諸収差の変動を抑えて良好な光学性能を有する光学系を製造することができる。
（１）  ０．２５０＜ＸＲＦ／ＸＦＦ＜１．５００
ただし、
ＸＦＦ：無限遠物体から近距離物体への合焦時の前記前側合焦群の移動量
ＸＲＦ：無限遠物体から近距離物体への合焦時の前記後側合焦群の移動量
【０１００】
以下、実施形態の光学系に係る実施例を添付図面に基づいて説明する。
（第１実施例）
図１（ａ）及び図１（ｂ）はそれぞれ、第１実施例に係る光学系の無限遠物体合焦時及び近距離物体合焦時の断面図である。
第１実施例に係る光学系は、物体側から順に、正の屈折力を有する前群ＧＦと、開口絞りＳと、正の屈折力を有する後群ＧＲとから構成されている。なお、像面Ｉの物体側近傍にはフィルタＦが配置されている。
【０１０１】
前群ＧＦは、物体側から順に、正の屈折力を有する正レンズ群ＧＦＡと、正の屈折力を有する前側合焦群ＧＦＦとからなる。
正レンズ群ＧＦＡは、物体側から順に、物体側に凸面を向けた負メニスカスレンズＬ１と、物体側に凸面を向けた負メニスカスレンズＬ２と、両凸形状の正レンズＬ３と、両凹形状の負レンズＬ４と両凸形状の正レンズＬ５との接合レンズと、両凸形状の正レンズＬ６とからなる。
前側合焦群ＧＦＦは、物体側から順に、両凸形状の正レンズＬ７と両凹形状の負レンズＬ８との接合レンズからなる。
【０１０２】
後群ＧＲは、物体側から順に、正の屈折力を有する後側合焦群ＧＲＦと、負の屈折力を有する負レンズ群ＧＲＢとからなる。
後側合焦群ＧＲＦは、物体側から順に、像側に凸面を向けた負メニスカスレンズＬ９と、両凸形状の正レンズＬ１０とからなる。
負レンズ群ＧＲＢは、物体側から順に、両凹形状の負レンズＬ１１と、物体側に凸面を向けた平凸形状の正レンズＬ１２とからなる。
【０１０３】
第１実施例に係る光学系では、前側合焦群ＧＦＦと後側合焦群ＧＲＦを光軸に沿って物体側へ移動させることにより無限遠物体から近距離物体への合焦を行う。なお、合焦時、正レンズ群ＧＦＡ、開口絞りＳ及び負レンズ群ＧＲＢの位置は固定である。
【０１０４】
以下の表１に、第１実施例に係る光学系の諸元の値を掲げる。
表１において、ｆは焦点距離、Ｂｆはバックフォーカス（最も像側のレンズ面と像面Ｉとの光軸上の距離）を示す。
［面データ］において、面番号は物体側から数えた光学面の順番、ｒは曲率半径、ｄは面間隔（第n面（nは整数）と第n+1面との間隔）、ｎｄはｄ線（波長５８７．６ｎｍ）に対する屈折率、νｄはｄ線（波長５８７．６ｎｍ）に対するアッベ数をそれぞれ示している。また、物面は物体面、可変は可変の面間隔、絞りＳは開口絞りＳ、像面は像面Ｉをそれぞれ示している。なお、曲率半径ｒ＝∞は平面を示している。非球面は面番号に「*」を付して曲率半径ｒの欄に近軸曲率半径の値を示している。
【０１０５】
［非球面データ］には、［面データ］に示した非球面について、その形状を次式で表した場合の非球面係数及び円錐定数を示す。
ｘ＝（ｈ２／ｒ）／［１＋｛１−κ（ｈ／ｒ）２｝１／２］＋A4ｈ４＋A6ｈ６＋A8ｈ８
ここで、ｈを光軸に垂直な方向の高さ、ｘを高さｈにおける非球面の頂点の接平面から当該非球面までの光軸方向に沿った距離（サグ量）、κを円錐定数、A4，A6，A8を非球面係数、ｒを基準球面の曲率半径（近軸曲率半径）とする。なお、「E−n」（nは整数）は「×10−ｎ」を示し、例えば「1.23456E-07」は「1.23456×10−７」を示す。２次の非球面係数A2は０であり、記載を省略している。
【０１０６】
［各種データ］において、ＦnoはＦナンバー、２ωは画角（単位は「°」）、ωは半画角（単位は「°」）、Ｙmaxは最大像高、βは至近撮影倍率、ＴＬは第１実施例に係る光学系の全長（第１面から像面Ｉまでの光軸上の距離）、ｄnは第n面と第n+1面との可変の間隔をそれぞれ示す。空気換算Ｂｆ、空気換算ＴＬは、フィルタＦの厚みを空気換算したＢｆ、ＴＬをそれぞれ示す。Ａinfは無限遠物体合焦時の半画角、Ａmodは最至近物体合焦時の半画角をそれぞれ示す（ともに単位は「°」）。なお、無限遠は無限遠物体への合焦時、近距離は近距離物体への合焦時をそれぞれ示す。
［レンズ群データ］には、各レンズ群の始面と焦点距離を示す。
［条件式対応値］には、第１実施例に係る光学系の各条件式の対応値を示す。
【０１０７】
ここで、表１に掲載されている焦点距離ｆ、曲率半径ｒ及びその他の長さの単位は一般に「ｍｍ」が使われる。しかしながら光学系は、比例拡大又は比例縮小しても同等の光学性能が得られるため、これに限られるものではない。
なお、以上に述べた表１の符号は、後述する各実施例の表においても同様に用いるものとする。
【０１０８】
（表１）第１実施例
[面データ]
面番号        ｒ       ｄ       ｎｄ     νｄ
物面         ∞              1.000000
1)       85.0000   2.7000   1.744000   44.80
2)       25.0533   9.4392   1.000000
3)       54.7416   2.0000   1.588870   61.13
*4)       18.4256  10.7082   1.000000
5)      516.8640   3.7787   1.903658   31.31
6)     -114.1419   3.5370   1.000000
7)      -50.2377   2.0000   1.620040   36.40
8)       30.6947  10.4006   1.851500   40.78
9)     -261.5465   0.2000   1.000000
10)       41.0143   5.7649   1.851500   40.78
11)     -317.4121    可変    1.000000
12)(仮想面)  ∞     0.0000   1.000000
13)       56.6941   4.1550   1.497820   82.57
14)      -64.4398   1.2000   1.808090   22.74
15)      364.1222    可変    1.000000
16)(絞りＳ)  ∞      可変    1.000000
*17)      -38.5516   1.4869   1.860999   37.10
*18)      -43.3477   1.3930   1.000000
19)       54.9022   6.5932   1.497820   82.57
20)      -18.1086    可変    1.000000
*21)      -26.4619   1.4000   1.689480   31.02
22)       48.9165   2.3305   1.000000
*23)       39.3225   3.4184   1.832199   40.10
24)          ∞    17.1751   1.000000
25)          ∞     1.6000   1.516800   64.13
26)          ∞     0.9931   1.000000
像面         ∞
［非球面データ］
面番号    κ        A4           A6           A8           A10          A12
4    0.0000  8.15384E-06 -6.41018E-09  3.11521E-11 -7.69764E-14  0.67523E-16
17    0.0000 -3.75535E-05  4.12683E-08  9.77350E-10 -1.51945E-11  0.24817E-13
18    1.0000  7.81937E-06  1.19209E-07  1.46234E-09 -1.69623E-11  0.50939E-13
21    1.5918  1.17009E-04 -7.89642E-07  5.72645E-09 -2.68019E-11  0.55035E-13
23    1.0000 -7.49387E-05  4.05516E-07 -2.44584E-09  8.81114E-12 -0.14105E-13
［各種データ］
ｆ            20.1396
Ｆno           1.85813
２ω          96.9415
Ｙmax         21.60
ＴＬ         113.97307
空気換算ＴＬ 113.42787
Ｂｆ          19.7682
空気換算Ｂｆ  19.223
Ａinf         49.11334
Ａmod         48.15531
無限遠     近距離
ｆ        20.1396
β                   -0.1886
ｄ0          ∞      86.0518
ｄ11       6.6882     3.2619
ｄ15       4.1566     7.5829
ｄ16       7.3258     5.5189
ｄ20       3.5287     5.3356
２ω      96.9415
ω        48.4707
［レンズ群データ］
群     始面       ｆ
GF       1      41.6168
GR      17      56.1686
GFA      1      50.4642
GFF     12     519.7498
GRF     17      29.1224
GRB     21     -59.3852
［条件式対応値］
（１）  ＸＲＦ／ＸＦＦ＝0.5274
（２）  Ｂｆ／ｆ＝0.9545
（３）  ＳＴ／ＴＬ＝0.4500
（４）  βＲＦ／βＦＦ＝0.3989
（５）  （−ｆＲＢ）／ｆ＝2.9486
（６）  Ｂｆ／ＴＬ＝0.1695
（７）  ＸＲＦ／ｆ＝0.0897
（８）  ｆＲＦ／ｆＦＦ＝0.0560
（９）  ｆＦ／ｆＲ＝0.7409
（１０）  ｆＦＡ／ｆＦＦ＝0.0971
（１１）  ｆ／ｆＦＦ＝0.0387
（１２）  ｆ／ｆＲＦ＝0.6916
（１３）  ＴＬ／（Ｆno・Ｂｆ）＝3.1756
（１４）  ｜Ａinf−Ａmod｜／ｆ＝0.0476
（１５）  νＦＦｐ−νＦＦｎ＝59.8300
（１６）  （ＦＦｒ２＋ＦＦｒ１）／（ＦＦｒ２−ＦＦｒ１）＝0.0639
（１７）  ｎＲＢｐ−ｎＲＢｎ＝0.1427
（１８）  ｎＲＢｐ＋０．００５νＲＢｐ＝2.0327
（１９）  ｎＲＢｎ＋０．００５νＲＢｎ＝1.8446
【０１０９】
図２（ａ）及び図２（ｂ）はそれぞれ、第１実施例に係る光学系の無限遠物体合焦時及び近距離物体合焦時の諸収差図である。
【０１１０】
各収差図において、ＦＮＯはＦナンバー、Ｙは像高、ＮＡは開口数をそれぞれ示す。詳しくは、球面収差図では最大口径に対応するＦナンバーＦＮＯ又は開口数ＮＡの値を示し、非点収差図及び歪曲収差図では像高Ｙの最大値をそれぞれ示し、コマ収差図では各像高の値を示す。また、各収差図において、ｄはｄ線（波長５８７．６ｎｍ）、ｇはｇ線（波長４３５．８ｎｍ）における収差をそれぞれ示す。非点収差図において、実線はサジタル像面、破線はメリディオナル像面をそれぞれ示す。コマ収差図は、各像高Ｙにおけるコマ収差を示す。なお、後述する各実施例の収差図においても、本実施例と同様の符号を用いる。
【０１１１】
各収差図より、本実施例に係る光学系は、無限遠物体合焦時から近距離物体合焦時にわたって諸収差を良好に補正し優れた結像性能を有していることがわかる。
【０１１２】
（第２実施例）
図３（ａ）及び図３（ｂ）はそれぞれ、第２実施例に係る光学系の無限遠物体合焦時及び近距離物体合焦時の断面図である。
第２実施例に係る光学系は、物体側から順に、正の屈折力を有する前群ＧＦと、開口絞りＳと、正の屈折力を有する後群ＧＲとから構成されている。なお、像面Ｉの物体側近傍にはフィルタＦが配置されている。
【０１１３】
前群ＧＦは、物体側から順に、正の屈折力を有する正レンズ群ＧＦＡと、正の屈折力を有する前側合焦群ＧＦＦとからなる。
正レンズ群ＧＦＡは、物体側から順に、物体側に凸面を向けた負メニスカスレンズＬ１と、物体側に凸面を向けた負メニスカスレンズＬ２と、両凸形状の正レンズＬ３と、両凹形状の負レンズＬ４と物体側に凸面を向けた正メニスカスレンズＬ５との接合レンズと、両凸形状の正レンズＬ６とからなる。
前側合焦群ＧＦＦは、物体側から順に、両凸形状の正レンズＬ７と両凹形状の負レンズＬ８との接合レンズからなる。
【０１１４】
後群ＧＲは、物体側から順に、負の屈折力を有する負レンズ群ＧＲＡと、正の屈折力を有する後側合焦群ＧＲＦと、負の屈折力を有する負レンズ群ＧＲＢとからなる。
負レンズ群ＧＲＡは、物体側に凸面を向けた負メニスカスレンズＬ９からなる。
後側合焦群ＧＲＦは、物体側から順に、像側に凸面を向けた正メニスカスレンズＬ１０と、両凸形状の正レンズＬ１１とからなる。
負レンズ群ＧＲＢは、物体側から順に、両凹形状の負レンズＬ１２と、物体側に凸面を向けた平凸形状の正レンズＬ１３とからなる。
【０１１５】
第２実施例に係る光学系では、前側合焦群ＧＦＦと後側合焦群ＧＲＦを光軸に沿って物体側へ移動させることにより無限遠物体から近距離物体への合焦を行う。なお、合焦時、正レンズ群ＧＦＡ、開口絞りＳ、負レンズ群ＧＲＡ及び負レンズ群ＧＲＢの位置は固定である。
以下の表２に、第２実施例に係る光学系の諸元の値を掲げる。
【０１１６】
（表２）第２実施例
[面データ]
面番号        ｒ       ｄ       ｎｄ     νｄ
物面         ∞              1.000000
1)       89.6637   2.3000   1.744000   44.80
2)       29.1933   8.8855   1.000000
3)       80.9611   2.0000   1.588870   61.13
*4)       18.6119  11.2072   1.000000
5)      363.7622   4.9254   1.903658   31.31
6)     -101.1501   2.7468   1.000000
7)      -54.6987   5.0000   1.620040   36.40
8)       32.2537   8.4862   1.851500   40.78
9)     1296.4983   0.2000   1.000000
10)       45.2794   5.9980   1.851500   40.78
11)     -141.1734    可変
12)(仮想面)  ∞     0.0000   1.000000
13)       41.5816   4.4074   1.497820   82.57
14)      -76.5015   1.2000   1.808090   22.74
15)      129.2012    可変
16)(絞りＳ)  ∞     2.0000   1.000000
17)      340.8668   1.2000   1.487490   70.32
18)      102.2210    可変
*19)      -96.3223   2.0483   1.860999   37.10
20)      -78.6357   1.3930   1.000000
21)       60.1667   7.9457   1.497820   82.57
22)      -18.5027    可変
*23)      -27.6858   1.3000   1.689480   31.02
24)       44.6169   1.9137   1.000000
*25)       37.7956   2.4912   1.832199   40.10
26)          ∞    16.6751   1.000000
27)          ∞     1.6000   1.516800   63.88
28)          ∞     1.0000   1.000000
像面         ∞
［非球面データ］
面番号    κ        A4           A6           A8           A10          A12
4    0.0000  8.02959E-06  2.44201E-09  1.15819E-11 -5.28374E-15  0.20308E-16     
19    0.0000 -3.96671E-05 -9.87679E-08  2.89585E-11 -4.23597E-12 -0.17965E-15 
23    1.5084  1.22824E-04 -8.31232E-07  5.29431E-09 -2.14010E-11  0.35630E-13
25    1.0000 -8.30036E-05  4.42223E-07 -2.36224E-09  7.62005E-12 -0.96482E-14
［各種データ］
ｆ            20.4000
Ｆno           1.86668
２ω          96.1606
Ｙmax         21.60
ＴＬ         117.00851
空気換算ＴＬ 116.46331
Ｂｆ          19.27514
空気換算Ｂｆ  18.72994
Ａinf         18.75122
Ａmod         47.95116
無限遠     近距離
ｆ        20.4000
β                   -0.1896
ｄ0          ∞      86.3709
ｄ11       5.7481     2.6300
ｄ15       4.1550     7.2731
ｄ18       6.4768     4.6001
ｄ22       3.7053     5.5821
２ω      96.1606
ω        48.0803
［レンズ群データ］
群     始面       ｆ
GF       1      41.2883
GR      19      54.7498
GFA      1      51.4084
GFF     12     485.7773
GRA     16    -300.0000
GRF     19      27.7405
GRB     23     -60.6065
［条件式対応値］
（１）  ＸＲＦ／ＸＦＦ＝0.6019
（２）  Ｂｆ／ｆ＝0.9181
（３）  ＳＴ／ＴＬ＝0.4225
（４）  βＲＦ／βＦＦ＝0.3322
（５）  （−ｆＲＢ）／ｆ＝2.9709
（６）  Ｂｆ／ＴＬ＝0.16082
（７）  ＸＲＦ／ｆ＝0.0920
（８）  ｆＲＦ／ｆＦＦ＝0.0571
（９）  ｆＦ／ｆＲ＝0.7451
（１０）  ｆＦＡ／ｆＦＦ＝0.1058
（１１）  ｆ／ｆＦＦ＝0.0420
（１２）  ｆ／ｆＲＦ＝0.7354
（１３）  ＴＬ／（Ｆno・Ｂｆ）＝3.3311
（１４）  ｜Ａinf−Ａmod｜／ｆ＝0.0392
（１５）  νＦＦｐ−νＦＦｎ＝59.8300
（１６）  （ＦＦｒ２＋ＦＦｒ１）／（ＦＦｒ２−ＦＦｒ１）＝0.2957
（１７）  ｎＲＢｐ−ｎＲＢｎ＝0.1427
（１８）  ｎＲＢｐ＋０．００５νＲＢｐ＝2.0327
（１９）  ｎＲＢｎ＋０．００５νＲＢｎ＝1.8446
【０１１７】
図４（ａ）及び図４（ｂ）はそれぞれ、第２実施例に係る光学系の無限遠物体合焦時及び近距離物体合焦時の諸収差図である。
各収差図より、本実施例に係る光学系は、無限遠物体合焦時から近距離物体合焦時にわたって諸収差を良好に補正し優れた結像性能を有していることがわかる。
【０１１８】
（第３実施例）
図５（ａ）及び図５（ｂ）はそれぞれ、第３実施例に係る光学系の無限遠物体合焦時及び近距離物体合焦時の断面図である。
第３実施例に係る光学系は、物体側から順に、正の屈折力を有する前群ＧＦと、開口絞りＳと、正の屈折力を有する後群ＧＲとから構成されている。なお、像面Ｉの物体側近傍にはフィルタＦが配置されている。
【０１１９】
前群ＧＦは、物体側から順に、正の屈折力を有する正レンズ群ＧＦＡと、正の屈折力を有する前側合焦群ＧＦＦと、正の屈折力を有する正レンズ群ＧＦＢとからなる。
正レンズ群ＧＦＡは、物体側から順に、物体側に凸面を向けた負メニスカスレンズＬ１と、物体側に凸面を向けた負メニスカスレンズＬ２と、像側に凸面を向けた正メニスカスレンズＬ３と、両凹形状の負レンズＬ４と両凸形状の正レンズＬ５との接合レンズと、両凸形状の正レンズＬ６とからなる。
前側合焦群ＧＦＦは、物体側から順に、両凸形状の正レンズＬ７と両凹形状の負レンズＬ８との接合レンズからなる。
正レンズ群ＧＦＢは、物体側に凸面を向けた平凸形状の正レンズＬ９とからなる。
【０１２０】
後群ＧＲは、物体側から順に、正の屈折力を有する後側合焦群ＧＲＦと、負の屈折力を有する負レンズ群ＧＲＢとからなる。
後側合焦群ＧＲＦは、物体側から順に、像側に凸面を向けた負メニスカスレンズＬ１０と、両凸形状の正レンズＬ１１とからなる。
負レンズ群ＧＲＢは、物体側から順に、両凹形状の負レンズＬ１２と、物体側に凸面を向けた平凸形状の正レンズＬ１３とからなる。
【０１２１】
第３実施例に係る光学系では、前側合焦群ＧＦＦと後側合焦群ＧＲＦを光軸に沿って物体側へ移動させることにより無限遠物体から近距離物体への合焦を行う。なお、合焦時、正レンズ群ＧＦＡ、正レンズ群ＧＦＢ、開口絞りＳ及び負レンズ群ＧＲＢの位置は固定である。
以下の表３に、第３実施例に係る光学系の諸元の値を掲げる。
【０１２２】
（表３）第３実施例
[面データ]
面番号        ｒ       ｄ       ｎｄ     νｄ
物面         ∞              1.000000
1)       97.1220   2.5000   1.744000   44.80
2)       25.5141   8.5243   1.000000
3)       54.3787   2.0000   1.588870   61.13
*4)       19.3078  12.0516   1.000000
5)    -2541.0384   4.4832   1.903658   31.31
6)      -89.4461   3.2029   1.000000
7)      -55.7529   4.8378   1.620040   36.40
8)       31.5163   8.0322   1.851500   40.78
9)     -603.1050   0.2000   1.000000
10)       44.5738   5.5569   1.851500   40.78
11)     -295.5770    可変    1.000000
12)(仮想面)  ∞     0.0000   1.000000
13)       56.3391   4.1355   1.497820   82.57
14)      -77.0418   2.0843   1.808090   22.74
15)      274.8271    可変    1.000000
16)      150.0000   1.6000   1.487490   70.32
17)          ∞     2.0000   1.000000
18)(絞りＳ)  ∞      可変    1.000000
*19)      -43.8243   1.2000   1.860999   37.10
20)      -57.8611   1.3930   1.000000
21)       70.5507   6.9944   1.497820   82.57
22)      -17.1866    可変    1.000000
*23)      -32.2891   1.3000   1.689480   31.02
24)       34.1671   2.2422   1.000000
25)       37.1466   3.3825   1.832199   40.10
26)          ∞    16.2621   1.000000
27)          ∞     1.6000   1.516800   63.88
28)          ∞     1.0000   1.000000
像面         ∞
［非球面データ］
面番号    κ        A4           A6           A8           A10          A12
4    0.0000  6.01620E-06  6.79387E-09 -4.02993E-11  1.20323E-13 -0.15113E-15
19    0.0000 -4.87007E-05 -8.95876E-08 -3.14165E-10 -2.43481E-12 -0.23860E-13
23    5.5636  1.08484E-04 -7.41132E-07  6.01375E-09 -3.07989E-11  0.79304E-13
25    1.0000 -6.01745E-05  3.38304E-07 -1.58920E-09  5.05882E-12 -0.65680E-14
［各種データ］
ｆ            20.2698
Ｆno           1.84435
２ω          96.5219
Ｙmax         21.60
ＴＬ         116.60345
空気換算ＴＬ 116.05825
Ｂｆ          18.86209
空気換算Ｂｆ  18.31689
Ａinf         48.94839
Ａmod         48.37479
無限遠     近距離
ｆ        20.2698
β                   -0.1902
ｄ0          ∞      85.4430
ｄ11       5.6165     2.4956
ｄ15       2.2463     5.3672
ｄ18       8.5521     6.5490
ｄ22       3.6056     5.6088
２ω      96.5219
ω        48.2609
［レンズ群データ］
群     始面       ｆ
GF       1      34.2040
GR      17      66.9283
GFA      1      54.0606
GFF     12     486.5933
GFB     16     307.6986
GRF     19      31.4696
GRB     23     -58.8568
［条件式対応値］
（１）  ＸＲＦ／ＸＦＦ＝0.6418
（２）  Ｂｆ／ｆ＝0.9037
（３）  ＳＴ／ＴＬ＝0.4049
（４）  βＲＦ／βＦＦ＝0.5105
（５）  （−ｆＲＢ）／ｆ＝2.9037
（６）  Ｂｆ／ＴＬ＝0.1578
（７）  ＸＲＦ／ｆ＝0.0988
（８）  ｆＲＦ／ｆＦＦ＝0.0647
（９）  ｆＦ／ｆＲ＝0.5111
（１０）  ｆＦＡ／ｆＦＦ＝0.1111
（１１）  ｆ／ｆＦＦ＝0.0417
（１２）  ｆ／ｆＲＦ＝0.6441
（１３）  ＴＬ／（Ｆno・Ｂｆ）＝3.4354
（１４）  ｜Ａinf−Ａmod｜／ｆ＝0.0283
（１５）  νＦＦｐ−νＦＦｎ＝59.8300
（１６）  （ＦＦｒ２＋ＦＦｒ１）／（ＦＦｒ２−ＦＦｒ１）＝0.1552
（１７）  ｎＲＢｐ−ｎＲＢｎ＝0.1427
（１８）  ｎＲＢｐ＋０．００５νＲＢｐ＝2.0327
（１９）  ｎＲＢｎ＋０．００５νＲＢｎ＝1.8446
【０１２３】
図６（ａ）及び図６（ｂ）はそれぞれ、第３実施例に係る光学系の無限遠物体合焦時及び近距離物体合焦時の諸収差図である。
各収差図より、本実施例に係る光学系は、無限遠物体合焦時から近距離物体合焦時にわたって諸収差を良好に補正し優れた結像性能を有していることがわかる。
【０１２４】
（第４実施例）
図７（ａ）及び図７（ｂ）はそれぞれ、第４実施例に係る光学系の無限遠物体合焦時及び近距離物体合焦時の断面図である。
第４実施例に係る光学系は、物体側から順に、正の屈折力を有する前群ＧＦと、開口絞りＳと、正の屈折力を有する後群ＧＲとから構成されている。なお、像面Ｉの物体側近傍にはフィルタＦが配置されている。
【０１２５】
前群ＧＦは、物体側から順に、正の屈折力を有する正レンズ群ＧＦＡと、正の屈折力を有する前側合焦群ＧＦＦとからなる。
正レンズ群ＧＦＡは、物体側から順に、物体側に凸面を向けた負メニスカスレンズＬ１と、物体側に凸面を向けた負メニスカスレンズＬ２と、像側に凸面を向けた正メニスカスレンズＬ３と、両凹形状の負レンズＬ４と両凸形状の正レンズＬ５との接合レンズと、両凸形状の正レンズＬ６とからなる。
前側合焦群ＧＦＦは、物体側から順に、両凸形状の正レンズＬ７と両凹形状の負レンズＬ８との接合レンズからなる。
【０１２６】
後群ＧＲは、物体側から順に、正の屈折力を有する後側合焦群ＧＲＦと、負の屈折力を有する負レンズ群ＧＲＢとからなる。
後側合焦群ＧＲＦは、物体側から順に、像側に凸面を向けた正メニスカスレンズＬ９と、両凸形状の正レンズＬ１０とからなる。
負レンズ群ＧＲＢは、物体側から順に、両凹形状の負レンズＬ１１と、物体側に凸面を向けた平凸形状の正レンズＬ１２とからなる。
【０１２７】
第４実施例に係る光学系では、前側合焦群ＧＦＦと後側合焦群ＧＲＦを光軸に沿って物体側へ移動させることにより無限遠物体から近距離物体への合焦を行う。なお、合焦時、正レンズ群ＧＦＡ、開口絞りＳ及び負レンズ群ＧＲＢの位置は固定である。
以下の表４に、第４実施例に係る光学系の諸元の値を掲げる。
【０１２８】
（表４）第４実施例
[面データ]
面番号        ｒ       ｄ       ｎｄ     νｄ
物面         ∞              1.000000
1)      105.1730   2.5000   1.717000   47.97
2)       28.0761   6.9819   1.000000
3)       54.1318   2.0000   1.568830   56.00
*4)       19.1358  12.2439   1.000000
5)    -1386.9567   3.2295   1.903658   31.31
6)     -106.4455   2.3599   1.000000
7)      -63.4529   3.3027   1.620040   36.40
8)       29.5793   7.1269   1.851500   40.78
9)    -2671.7190   2.3092   1.000000
10)       42.2306   5.3571   1.851500   40.78
11)     -303.1326    可変    1.000000
12)(仮想面)  ∞     0.0000   1.000000
13)       58.1267   4.5140   1.497820   82.57
14)      -67.7518   2.5150   1.808090   22.74
15)      464.6438    可変    1.000000
16)(絞りＳ)  ∞      可変    1.000000
*17)      -58.9498   2.0443   1.860999   37.10
18)      -56.5635   1.3930   1.000000
19)      119.9079   7.3545   1.497820   82.57
20)      -17.3792    可変    1.000000
*21)      -27.6859   1.3000   1.689480   31.02
22)       41.8186   1.7994   1.000000
*23)       39.3203   3.4174   1.808350   40.55
24)          ∞    18.4523   1.000000
25)          ∞     1.6000   1.516800   64.13
26)          ∞     0.9866   1.000000
像面         ∞
［非球面データ］
面番号    κ        A4           A6           A8           A10          A12
4    0.0000  1.01451E-05  3.09662E-10  2.61797E-11 -5.26695E-14  0.49110E-16
17    0.0000 -4.44232E-05 -7.92259E-08 -9.22854E-10  6.75991E-12 -0.57395E-13 
21    2.0933  1.10413E-04 -7.62492E-07  5.30334E-09 -2.25140E-11  0.40859E-13
23    1.0000 -7.16079E-05  4.39983E-07 -2.36885E-09  7.66187E-12 -0.10235E-13 
［各種データ］
ｆ            23.0000
Ｆno           1.85172
２ω          90.6552
Ｙmax         21.60
ＴＬ         114.98658
空気換算ＴＬ 114.44138
Ｂｆ          21.03884
空気換算Ｂｆ  20.49364
Ａinf         45.31854
Ａmod         44.51854
無限遠     近距離
ｆ        23.0000
β                   -0.1828
ｄ0          ∞     104.9388
ｄ11       5.9052     2.4996
ｄ15       4.0403     7.4460
ｄ16       8.5116     6.6677
ｄ20       3.7419     5.5858
２ω      90.6552
ω        45.3276
［レンズ群データ］
群     始面       ｆ
GF       1      44.7746
GR      17      64.6935
GFA      1      57.4905
GFF     12     413.4387
GRF     17      29.9133
GRB     21     -52.0504
［条件式対応値］
（１）  ＸＲＦ／ＸＦＦ＝0.5414
（２）  Ｂｆ／ｆ＝0.8910
（３）  ＳＴ／ＴＬ＝0.4374
（４）  βＲＦ／βＦＦ＝0.4327
（５）  （−ｆＲＢ）／ｆ＝2.2631
（６）  Ｂｆ／ＴＬ＝0.1791
（７）  ＸＲＦ／ｆ＝0.0802
（８）  ｆＲＦ／ｆＦＦ＝0.0724
（９）  ｆＦ／ｆＲ＝0.6921
（１０）  ｆＦＡ／ｆＦＦ＝0.1391
（１１）  ｆ／ｆＦＦ＝0.0556
（１２）  ｆ／ｆＲＦ＝0.7689
（１３）  ＴＬ／（Ｆno・Ｂｆ）＝3.0157
（１４）  ｜Ａinf−Ａmod｜／ｆ＝0.0348
（１５）  νＦＦｐ−νＦＦｎ＝59.8300
（１６）  （ＦＦｒ２＋ＦＦｒ１）／（ＦＦｒ２−ＦＦｒ１）＝0.0765
（１７）  ｎＲＢｐ−ｎＲＢｎ＝0.1189
（１８）  ｎＲＢｐ＋０．００５νＲＢｐ＝2.0111
（１９）  ｎＲＢｎ＋０．００５νＲＢｎ＝1.8446
【０１２９】
図８（ａ）及び図８（ｂ）はそれぞれ、第４実施例に係る光学系の無限遠物体合焦時及び近距離物体合焦時の諸収差図である。
各収差図より、本実施例に係る光学系は、無限遠物体合焦時から近距離物体合焦時にわたって諸収差を良好に補正し優れた結像性能を有していることがわかる。
【０１３０】
（第５実施例）
図９（ａ）及び図９（ｂ）はそれぞれ、第５実施例に係る光学系の無限遠物体合焦時及び近距離物体合焦時の断面図である。
第５実施例に係る光学系は、物体側から順に、正の屈折力を有する前群ＧＦと、開口絞りＳと、正の屈折力を有する後群ＧＲとから構成されている。なお、像面Ｉの物体側近傍にはフィルタＦが配置されている。
【０１３１】
前群ＧＦは、物体側から順に、正の屈折力を有する正レンズ群ＧＦＡと、正の屈折力を有する前側合焦群ＧＦＦとからなる。
正レンズ群ＧＦＡは、物体側から順に、物体側に凸面を向けた負メニスカスレンズＬ１と、物体側に凸面を向けた負メニスカスレンズＬ２と、像側に凸面を向けた正メニスカスレンズＬ３と、両凹形状の負レンズＬ４と両凸形状の正レンズＬ５との接合レンズと、両凸形状の正レンズＬ６とからなる。
前側合焦群ＧＦＦは、物体側から順に、両凸形状の正レンズＬ７と両凹形状の負レンズＬ８との接合レンズからなる。
【０１３２】
後群ＧＲは、物体側から順に、正の屈折力を有する後側合焦群ＧＲＦと、負の屈折力を有する負レンズ群ＧＲＢとからなる。
後側合焦群ＧＲＦは、物体側から順に、像側に凸面を向けた正メニスカスレンズＬ９と、両凸形状の正レンズＬ１０とからなる。
負レンズ群ＧＲＢは、物体側から順に、両凹形状の負レンズＬ１１と、物体側に凸面を向けた平凸形状の正レンズＬ１２とからなる。
【０１３３】
第５実施例に係る光学系では、前側合焦群ＧＦＦと後側合焦群ＧＲＦを光軸に沿って物体側へ移動させることにより無限遠物体から近距離物体への合焦を行う。なお、合焦時、正レンズ群ＧＦＡ、開口絞りＳ及び負レンズ群ＧＲＢの位置は固定である。
以下の表５に、第５実施例に係る光学系の諸元の値を掲げる。
【０１３４】
（表５）第５実施例
[面データ]
面番号        ｒ       ｄ       ｎｄ     νｄ
物面         ∞              1.000000
1)      397.0808   2.5000   1.655234   44.96
2)       41.1626   4.3963   1.000000
3)       63.8851   2.0000   1.556354   55.30
*4)       19.8504  11.8696   1.000000
5)     -335.9120   3.4498   1.891325   32.78
6)      -92.0502   2.6562   1.000000
7)      -66.8872   1.9012   1.620040   36.40
8)       29.5548   8.8222   1.851500   40.78
9)    -2141.5083   1.8071   1.000000
10)       44.7902   5.3588   1.851500   40.78
11)     -299.4337    可変    1.000000
12)(仮想面)  ∞     0.0000   1.000000
13)       44.5714   5.4239   1.497820   82.57
14)      -78.9223   2.8047   1.805180   25.45
15)      160.0738    可変    1.000000
16)(絞りＳ)  ∞      可変    1.000000
*17)      -46.7376   2.0809   1.860999   37.10
18)      -42.7565   1.3930   1.000000
19)      262.5587   7.2654   1.497820   82.57
20)      -18.8498    可変    1.000000
*21)      -30.1253   1.3000   1.689480   31.02
22)       40.4709   1.9883   1.000000
*23)       37.2836   3.3332   1.808350   40.55
24)          ∞    19.7825   1.000000
25)          ∞     1.6000   1.516800   64.13
26)          ∞     1.0059   1.000000
像面         ∞
［非球面データ］
面番号    κ        A4           A6           A8           A10          A12
4    0.0000  9.77757E-06 -1.86856E-10  3.61428E-11 -7.97773E-14  0.95711E-16
17    0.0000 -3.98939E-05 -3.97571E-08 -4.94760E-10  2.83561E-12 -0.20949E-13 
21    2.6936  1.03810E-04 -7.47656E-07  5.22059E-09 -2.32930E-11  0.46411E-13
23    1.0000 -6.38484E-05  4.30545E-07 -2.33889E-09  8.08344E-12 -0.12063E-13
［各種データ］
ｆ            27.0000
Ｆno           1.8511
２ω          80.1035
Ｙmax         21.60
ＴＬ         115.00586
空気換算ＴＬ 114.46066
Ｂｆ          22.38833
空気換算Ｂｆ  21.84313
Ａinf         40.75144
Ａmod         39.9517
無限遠     近距離
ｆ        27.0000
β                   -0.1432
ｄ0          ∞     168.6086
ｄ11       5.9402     2.4572
ｄ15       4.0055     7.4884
ｄ16       8.4916     6.7346
ｄ20       3.8298     5.5867
２ω      80.1035
ω        40.0518
［レンズ群データ］
群     始面       ｆ
GF       1      50.0572
GR      17      68.9718
GFA      1      67.4727
GFF     12     375.4378
GRF     17      32.8785
GRB     21     -60.8771
［条件式対応値］
（１）  ＸＲＦ／ＸＦＦ＝0.5044
（２）  Ｂｆ／ｆ＝0.8090
（３）  ＳＴ／ＴＬ＝0.4502
（４）  βＲＦ／βＦＦ＝0.4980
（５）  （−ｆＲＢ）／ｆ＝2.2547
（６）  Ｂｆ／ＴＬ＝0.1908
（７）  ＸＲＦ／ｆ＝0.0651
（８）  ｆＲＦ／ｆＦＦ＝0.0876
（９）  ｆＦ／ｆＲ＝0.7258
（１０）  ｆＦＡ／ｆＦＦ＝0.1797
（１１）  ｆ／ｆＦＦ＝0.0719
（１２）  ｆ／ｆＲＦ＝0.8212
（１３）  ＴＬ／（Ｆno・Ｂｆ）＝2.8308
（１４）  ｜Ａinf−Ａmod｜／ｆ＝0.0296
（１５）  νＦＦｐ−νＦＦｎ＝57.3000
（１６）  （ＦＦｒ２＋ＦＦｒ１）／（ＦＦｒ２−ＦＦｒ１）＝0.2782
（１７）  ｎＲＢｐ−ｎＲＢｎ＝0.1189
（１８）  ｎＲＢｐ＋０．００５νＲＢｐ＝2.0111
（１９）  ｎＲＢｎ＋０．００５νＲＢｎ＝1.8446
【０１３５】
図１０（ａ）及び図１０（ｂ）はそれぞれ、第５実施例に係る光学系の無限遠物体合焦時及び近距離物体合焦時の諸収差図である。
各収差図より、本実施例に係る光学系は、無限遠物体合焦時から近距離物体合焦時にわたって諸収差を良好に補正し優れた結像性能を有していることがわかる。
【０１３６】
（第６実施例）
図１１（ａ）及び図１１（ｂ）はそれぞれ、第６実施例に係る光学系の無限遠物体合焦時及び近距離物体合焦時の断面図である。
第６実施例に係る光学系は、物体側から順に、正の屈折力を有する前群ＧＦと、開口絞りＳと、正の屈折力を有する後群ＧＲとから構成されている。なお、像面Ｉの物体側近傍にはフィルタＦが配置されている。
【０１３７】
前群ＧＦは、物体側から順に、正の屈折力を有する正レンズ群ＧＦＡと、正の屈折力を有する前側合焦群ＧＦＦとからなる。
正レンズ群ＧＦＡは、物体側から順に、物体側に凸面を向けた負メニスカスレンズＬ１と、像側に凸面を向けた正メニスカスレンズＬ２と、両凹形状の負レンズＬ３と両凸形状の正レンズＬ４との接合レンズと、両凸形状の正レンズＬ５と両凹形状の負レンズＬ６との接合レンズとからなる。
前側合焦群ＧＦＦは、物体側から順に、物体側に凸面を向けた平凸形状の正レンズＬ７と像側に凹面を向けた平凹形状の負レンズＬ８との接合レンズからなる。
【０１３８】
後群ＧＲは、物体側から順に、正の屈折力を有する後側合焦群ＧＲＦと、負の屈折力を有する負レンズ群ＧＲＢとからなる。
後側合焦群ＧＲＦは、物体側から順に、像側に凸面を向けた負メニスカスレンズＬ９と、両凸形状の正レンズＬ１０とからなる。
負レンズ群ＧＲＢは、物体側から順に、両凹形状の負レンズＬ１１と、両凸形状の正レンズＬ１２とからなる。
【０１３９】
第６実施例に係る光学系では、前側合焦群ＧＦＦと後側合焦群ＧＲＦを光軸に沿って物体側へ移動させることにより無限遠物体から近距離物体への合焦を行う。なお、合焦時、正レンズ群ＧＦＡ、開口絞りＳ及び負レンズ群ＧＲＢの位置は固定である。
以下の表６に、第６実施例に係る光学系の諸元の値を掲げる。
【０１４０】
（表６）第６実施例
[面データ]
面番号        ｒ       ｄ       ｎｄ     νｄ
物面         ∞              1.000000
1)      348.4574   2.4000   1.504120   59.90
*2)       21.4609  13.4044   1.000000
3)     -105.0871   4.5427   1.922860   20.88
4)      -64.8044   3.8789   1.000000
5)      -34.8938   2.0000   1.632947   34.71
6)       40.3703  11.1155   1.834810   42.73
7)      -48.0907   0.2187   1.000000
8)       31.3856   7.6538   1.834810   42.73
9)     -144.1208   1.6000   1.657414   32.27
10)       31.7227    可変    1.000000
11)       28.8127   5.3410   1.497820   82.57
12)          ∞     1.2002   1.713322   30.66
13)       55.4010    可変    1.000000
14)(絞りＳ)  ∞      可変    1.000000
*15)      -46.5696   1.8000   1.728267   45.36
16)     -592.3084   0.2365   1.000000
17)       51.5274  10.3228   1.497820   82.57
*18)      -18.0668    可変    1.000000
19)      -48.0041   1.4000   1.593929   38.23
20)       55.8143   2.2498   1.000000
*21)      102.4799   3.8639   1.906998   28.77
22)    -1000.0000  17.2535   1.000000
23)          ∞     1.6000   1.516800   64.13
24)          ∞     0.9835   1.000000
像面         ∞
［非球面データ］
面番号    κ        A4           A6           A8           A10          A12
2    0.0000  1.12877E-05  7.54278E-09  3.77786E-11 -8.64032E-14  0.22683E-15
15    0.0000 -3.85799E-05 -9.55276E-08  2.02210E-10 -5.21627E-12  0.22387E-13
18    1.0000  1.16752E-05 -2.00823E-08  2.86154E-10 -7.78259E-13  0.34805E-14
21    1.0000  3.63716E-06 -5.43228E-09  2.25434E-11 -7.54064E-14  0.77846E-16
［各種データ］
ｆ            34.0000
Ｆno           1.84694
２ω          68.7634
Ｙmax         21.60
ＴＬ         114.98352
空気換算ＴＬ 114.43832
Ｂｆ          19.83701
空気換算Ｂｆ  19.29181
Ａinf         34.37218
Ａmod         33.44787
無限遠     近距離
ｆ        34.0000
β                   -0.1434
ｄ0          ∞     216.6806
ｄ10       5.4302     2.1248
ｄ13       4.0990     7.4045
ｄ14       9.0459     6.1458
ｄ18       3.3432     6.2432
２ω      68.7634
ω        34.3817
［レンズ群データ］
群     始面       ｆ
GF       1      47.9103
GR      15      86.8580
GFA      1      78.4519
GFF     11     186.8714
GRF     15      40.9478
GRB     19     -78.5376
［条件式対応値］
（１）  ＸＲＦ／ＸＦＦ＝0.8773
（２）  Ｂｆ／ｆ＝0.5674
（３）  ＳＴ／ＴＬ＝0.4505
（４）  βＲＦ／βＦＦ＝0.8696
（５）  （−ｆＲＢ）／ｆ＝2.3099
（６）  Ｂｆ／ＴＬ＝0.1686
（７）  ＸＲＦ／ｆ＝0.0853
（８）  ｆＲＦ／ｆＦＦ＝0.2191
（９）  ｆＦ／ｆＲ＝0.5516
（１０）  ｆＦＡ／ｆＦＦ＝0.4198
（１１）  ｆ／ｆＦＦ＝0.1819
（１２）  ｆ／ｆＲＦ＝0.8303
（１３）  ＴＬ／（Ｆno・Ｂｆ）＝3.2118
（１４）  ｜Ａinf−Ａmod｜／ｆ＝0.0272
（１５）  νＦＦｐ−νＦＦｎ＝51.9700
（１６）  （ＦＦｒ２＋ＦＦｒ１）／（ＦＦｒ２−ＦＦｒ１）＝1.0000
（１７）  ｎＲＢｐ−ｎＲＢｎ＝0.3130
（１８）  ｎＲＢｐ＋０．００５νＲＢｐ＝2.0508
（１９）  ｎＲＢｎ＋０．００５νＲＢｎ＝1.7851
【０１４１】
図１２（ａ）及び図１２（ｂ）はそれぞれ、第６実施例に係る光学系の無限遠物体合焦時及び近距離物体合焦時の諸収差図である。
各収差図より、本実施例に係る光学系は、無限遠物体合焦時から近距離物体合焦時にわたって諸収差を良好に補正し優れた結像性能を有していることがわかる。
【０１４２】
（第７実施例）
図１３（ａ）及び図１３（ｂ）はそれぞれ、第７実施例に係る光学系の無限遠物体合焦時及び近距離物体合焦時の断面図である。
第７実施例に係る光学系は、物体側から順に、正の屈折力を有する前群ＧＦと、開口絞りＳと、正の屈折力を有する後群ＧＲとから構成されている。なお、像面Ｉの物体側近傍にはフィルタＦが配置されている。
【０１４３】
前群ＧＦは、物体側から順に、正の屈折力を有する正レンズ群ＧＦＡと、正の屈折力を有する前側合焦群ＧＦＦとからなる。
正レンズ群ＧＦＡは、物体側から順に、物体側に凸面を向けた負メニスカスレンズＬ１と、像側に凸面を向けた負メニスカスレンズＬ２と、両凸形状の正レンズＬ３と、両凹形状の負レンズＬ４と両凸形状の正レンズＬ５との接合レンズと、両凸形状の正レンズＬ６とからなる。なお、負メニスカスレンズＬ２は、像側レンズ面に樹脂を配置し非球面形状に形成した複合型非球面レンズである。
前側合焦群ＧＦＦは、物体側から順に、両凸形状の正レンズＬ７と両凹形状の負レンズＬ８との接合レンズからなる。
【０１４４】
後群ＧＲは、物体側から順に、正の屈折力を有する後側合焦群ＧＲＦと、負の屈折力を有する負レンズ群ＧＲＢとからなる。
後側合焦群ＧＲＦは、物体側から順に、像側に凸面を向けた負メニスカスレンズＬ９と、両凸形状の正レンズＬ１０とからなる。
負レンズ群ＧＲＢは、物体側から順に、物体側に凸面を向けた正メニスカスレンズＬ１１と、両凹形状の負レンズＬ１２と、物体側に凸面を向けた平凸形状の正レンズＬ１３とからなる。
【０１４５】
第７実施例に係る光学系では、前側合焦群ＧＦＦと後側合焦群ＧＲＦを光軸に沿って物体側へ移動させることにより無限遠物体から近距離物体への合焦を行う。なお、合焦時、正レンズ群ＧＦＡ、開口絞りＳ及び負レンズ群ＧＲＢの位置は固定である。
以下の表７に、第７実施例に係る光学系の諸元の値を掲げる。
【０１４６】
（表７）第７実施例
[面データ]
面番号        ｒ       ｄ       ｎｄ     νｄ
物面         ∞              1.000000
1)       97.4192   2.2000   1.768494   44.86
2)       25.3748   9.4393   1.000000
3)       73.0366   1.6500   1.611353   59.10
4)       28.1065   0.1500   1.513800   52.97
*5)       23.3508   8.7999   1.000000
6)      314.3211   3.3152   1.922860   20.88
7)     -230.9882   3.9581   1.000000
8)      -54.6239   2.1432   1.620040   36.40
9)       34.0933  10.7170   1.834810   42.73
10)      -93.8515   0.2008   1.000000
11)       45.4462   5.5158   1.834810   42.73
12)   -76941.34500   可変    1.000000
13)       40.4893   4.1495   1.497820   82.57
14)     -135.4706   1.2000   1.808090   22.74
15)      126.4048    可変    1.000000
16)(絞りＳ)  ∞      可変    1.000000
*17)      -20.6195   1.7865   1.860999   37.10
*18)      -32.1327   1.4206   1.000000
19)      102.6671   7.8877   1.497820   82.57
20)      -16.3909    可変    1.000000
21)       57.0592   2.6167   1.710936   47.27
22)      304.2075   4.1090   1.000000
*23)      -22.4255   1.3000   1.689480   31.02
24)       61.5136   2.0782   1.000000
*25)       36.1918   2.6262   1.820980   42.50
26)          ∞    12.6819   1.000000
27)          ∞     1.6000   1.516800   63.88
28)          ∞     1.0000   1.000000
像面         ∞
［非球面データ］
面番号    κ        A4           A6           A8           A10          A12
5    0.0000  4.47584E-07 -6.22190E-09  1.22365E-11 -3.40101E-14  0.32669E-16
17    0.0000  9.62834E-05 -4.19153E-07 -3.28271E-09  2.90182E-11 -0.13502E-12
18    1.0000  1.33216E-04 -1.90915E-07 -3.36920E-09  2.71394E-11 -0.83703E-13 
23    1.9124  1.43602E-04 -8.35674E-07  5.32507E-09 -1.97434E-11  0.34513E-13
25    1.0000 -8.47161E-05  4.39056E-07 -2.13972E-09  6.18894E-12 -0.71916E-14
［各種データ］
ｆ            20.4000
Ｆno           1.85009
２ω          96.1353
Ｙmax         21.60
ＴＬ         115.02541
空気換算ＴＬ 114.48021
Ｂｆ          15.28192
空気換算Ｂｆ  14.73672
Ａinf         48.76762
Ａmod         48.15648
無限遠     近距離
ｆ        20.4000
β                   -0.1972
ｄ0          ∞      84.0279
ｄ12       6.0921     2.2355
ｄ15       4.3398     8.1964
ｄ16       9.0834     5.6834
ｄ20       2.9645     6.3646
２ω      96.1353
ω        48.0677
［レンズ群データ］
群     始面       ｆ
GF       1      40.2194
GR      17      51.7452
GFA      1      59.7587
GFF     13     253.1359
GRF     17      40.2592
GRB     21    -156.7545
［条件式対応値］
（１）  ＸＲＦ／ＸＦＦ＝0.8816
（２）  Ｂｆ／ｆ＝0.7224
（３）  ＳＴ／ＴＬ＝0.4421
（４）  βＲＦ／βＦＦ＝0.6742
（５）  （−ｆＲＢ）／ｆ＝7.684
（６）  Ｂｆ／ＴＬ＝0.1287
（７）  ＸＲＦ／ｆ＝0.1667
（８）  ｆＲＦ／ｆＦＦ＝0.1590
（９）  ｆＦ／ｆＲ＝0.7773
（１０）  ｆＦＡ／ｆＦＦ＝0.2361
（１１）  ｆ／ｆＦＦ＝0.0806
（１２）  ｆ／ｆＲＦ＝0.5067
（１３）  ＴＬ／（Ｆno・Ｂｆ）＝4.1989
（１４）  ｜Ａinf−Ａmod｜／ｆ＝0.0300
（１５）  νＦＦｐ−νＦＦｎ＝59.8300
（１６）  （ＦＦｒ２＋ＦＦｒ１）／（ＦＦｒ２−ＦＦｒ１）＝0.5398
（１７）  ｎＲＢｐ−ｎＲＢｎ＝0.0765
（１８）  ｎＲＢｐ＋０．００５νＲＢｐ＝1.9904
（１９）  ｎＲＢｎ＋０．００５νＲＢｎ＝1.8446
【０１４７】
図１４（ａ）及び図１４（ｂ）はそれぞれ、第７実施例に係る光学系の無限遠物体合焦時及び近距離物体合焦時の諸収差図である。
各収差図より、本実施例に係る光学系は、無限遠物体合焦時から近距離物体合焦時にわたって諸収差を良好に補正し優れた結像性能を有していることがわかる。
【０１４８】
（第８実施例）
図１５（ａ）及び図１５（ｂ）はそれぞれ、第８実施例に係る光学系の無限遠物体合焦時及び近距離物体合焦時の断面図である。
第８実施例に係る光学系は、物体側から順に、正の屈折力を有する前群ＧＦと、開口絞りＳと、正の屈折力を有する後群ＧＲとから構成されている。なお、像面Ｉの物体側近傍にはフィルタＦが配置されている。
【０１４９】
前群ＧＦは、物体側から順に、正の屈折力を有する正レンズ群ＧＦＡと、正の屈折力を有する前側合焦群ＧＦＦとからなる。
正レンズ群ＧＦＡは、物体側から順に、両凹形状の負レンズＬ１と、両凹形状の負レンズＬ２と両凸形状の正レンズＬ３との接合レンズと、両凸形状の正レンズＬ４と両凹形状の負レンズＬ５との接合レンズとからなる。
前側合焦群ＧＦＦは、物体側から順に、両凸形状の正レンズＬ６と両凹形状の負レンズＬ７との接合レンズからなる。
【０１５０】
後群ＧＲは、物体側から順に、正の屈折力を有する後側合焦群ＧＲＦと、負の屈折力を有する負レンズ群ＧＲＢとからなる。
後側合焦群ＧＲＦは、物体側から順に、両凹形状の負レンズＬ８と、両凸形状の正レンズＬ９とからなる。
負レンズ群ＧＲＢは、物体側から順に、像側に凸面を向けた負メニスカスレンズＬ１０と、像側に凸面を向けた負メニスカスレンズＬ１１とからなる。
【０１５１】
第８実施例に係る光学系では、前側合焦群ＧＦＦと後側合焦群ＧＲＦを光軸に沿って物体側へ移動させることにより無限遠物体から近距離物体への合焦を行う。なお、合焦時、正レンズ群ＧＦＡ、開口絞りＳ及び負レンズ群ＧＲＢの位置は固定である。
以下の表８に、第８実施例に係る光学系の諸元の値を掲げる。
【０１５２】
（表８）第８実施例
[面データ]
面番号        ｒ       ｄ       ｎｄ     νｄ
物面         ∞              1.000000
1)    -1384.5606   2.4000   1.518230   58.82
*2)       22.7521  19.5726   1.000000
3)     -210.4727   2.0000   1.603420   38.03
4)       34.8221  11.0013   1.834810   42.73
5)      -98.9663   0.2000   1.000000
6)       41.5127   8.8597   1.834810   42.73
7)      -70.1358   1.6000   1.647690   33.72
8)       41.7744    可変    1.000000
9)       30.8554   5.2069   1.497820   82.57
10)     -344.9897   1.2000   1.672700   32.18
11)       59.4370    可変    1.000000
12)(絞りＳ)  ∞      可変    1.000000
*13)     -128.3993   1.8000   1.834810   42.73
14)      316.2495   1.3930   1.000000
15)       98.6994  10.2289   1.497820   82.57
*16)      -18.9378    可変    1.000000
17)      -47.2364   3.0654   1.902650   35.72
18)      -35.8672   5.9831   1.000000
19)      -30.0877   1.4000   1.688931   31.07
20)    -1077.5863  14.3679   1.000000
21)          ∞     1.6000   1.516800   64.13
22)          ∞     0.9778   1.000000
像面         ∞
［非球面データ］
面番号    κ        A4           A6           A8           A10          A12
2    0.0000  8.60806E-06 -2.33850E-09  3.59347E-11 -7.01381E-14  0.61254E-16
13    0.0000 -3.09776E-05 -8.13151E-08 -2.38297E-10  2.73111E-14 -0.12604E-13 
16    1.0000  4.53043E-07 -2.70015E-08  4.55831E-11 -6.17207E-13  0.12765E-14
［各種データ］
ｆ            34.1413
Ｆno           1.85683
２ω          65.0328
Ｙmax         21.60
ＴＬ         114.97777
空気換算ＴＬ 114.43257
Ｂｆ          53.1934
空気換算Ｂｆ  54.6482
Ａinf         33.09508
Ａmod         32.1484
無限遠     近距離
ｆ        34.1413
β                   -0.1418
ｄ0          ∞     221.3238
ｄ8        5.7439     2.0995
ｄ11       4.0000     7.6445
ｄ12       9.1921     6.0059
ｄ16       3.1853     6.3715
２ω      65.0328
ω        32.5164
［レンズ群データ］
群     始面       ｆ
GF       1      57.9019
GR      13      86.1509
GFA      1     102.0669
GFF      9     196.0962
GRF     13      42.5650
GRB     17     -65.8197
［条件式対応値］
（１）  ＸＲＦ／ＸＦＦ＝0.8743
（２）  Ｂｆ／ｆ＝1.5421
（３）  ＳＴ／ＴＬ＝0.1433
（４）  βＲＦ／βＦＦ＝0.8301
（５）  （−ｆＲＢ）／ｆ＝1.9279
（６）  Ｂｆ／ＴＬ＝0.4600
（７）  ＸＲＦ／ｆ＝0.0933
（８）  ｆＲＦ／ｆＦＦ＝0.2171
（９）  ｆＦ／ｆＲ＝0.6721
（１０）  ｆＦＡ／ｆＦＦ＝0.5205
（１１）  ｆ／ｆＦＦ＝0.1741
（１２）  ｆ／ｆＲＦ＝0.8021
（１３）  ＴＬ／（Ｆno・Ｂｆ）＝1.1706
（１４）  ｜Ａinf−Ａmod｜／ｆ＝0.0277
（１５）  νＦＦｐ−νＦＦｎ＝50.3900
（１６）  （ＦＦｒ２＋ＦＦｒ１）／（ＦＦｒ２−ＦＦｒ１）＝0.8358
（１７）  ｎＲＢｐ−ｎＲＢｎ＝0.2137
（１８）  ｎＲＢｐ＋０．００５νＲＢｐ＝2.0813
（１９）  ｎＲＢｎ＋０．００５νＲＢｎ＝1.8443
【０１５３】
図１６（ａ）及び図１６（ｂ）はそれぞれ、第８実施例に係る光学系の無限遠物体合焦時及び近距離物体合焦時の諸収差図である。
各収差図より、本実施例に係る光学系は、無限遠物体合焦時から近距離物体合焦時にわたって諸収差を良好に補正し優れた結像性能を有していることがわかる。
【０１５４】
（第９実施例）
図１７（ａ）及び図１７（ｂ）はそれぞれ、第９実施例に係る光学系の無限遠物体合焦時及び近距離物体合焦時の断面図である。
第９実施例に係る光学系は、物体側から順に、正の屈折力を有する前群ＧＦと、開口絞りＳと、正の屈折力を有する後群ＧＲとから構成されている。なお、像面Ｉの物体側近傍にはフィルタＦが配置されている。
【０１５５】
前群ＧＦは、物体側から順に、正の屈折力を有する正レンズ群ＧＦＡと、正の屈折力を有する前側合焦群ＧＦＦとからなる。
正レンズ群ＧＦＡは、物体側から順に、物体側に凸面を向けた負メニスカスレンズＬ１と、物体側に凸面を向けた負メニスカスレンズＬ２と、両凹形状の負レンズＬ３と、物体側に凸面を向けた負メニスカスレンズＬ４と両凸形状の正レンズＬ５との接合レンズと、物体側に凸面を向けた正メニスカスレンズＬ６とからなる。
前側合焦群ＧＦＦは、物体側から順に、両凸形状の正レンズＬ７と両凹形状の負レンズＬ８との接合レンズからなる。
【０１５６】
後群ＧＲは、物体側から順に、正の屈折力を有する後側合焦群ＧＲＦと、負の屈折力を有する負レンズ群ＧＲＢとからなる。
後側合焦群ＧＲＦは、物体側から順に、像側に凸面を向けた負メニスカスレンズＬ９と、両凸形状の正レンズＬ１０とからなる。
負レンズ群ＧＲＢは、物体側から順に、両凹形状の負レンズＬ１１と、両凸形状の正レンズＬ１２とからなる。
【０１５７】
第９実施例に係る光学系では、前側合焦群ＧＦＦと後側合焦群ＧＲＦを光軸に沿って物体側へ移動させることにより無限遠物体から近距離物体への合焦を行う。なお、合焦時、正レンズ群ＧＦＡ、開口絞りＳ及び負レンズ群ＧＲＢの位置は固定である。
以下の表９に、第９実施例に係る光学系の諸元の値を掲げる。
【０１５８】
（表９）第９実施例
[面データ]
面番号        ｒ       ｄ       ｎｄ     νｄ
物面         ∞              1.000000
1)       90.1539   2.0000   1.658440   50.83
2)       35.0000   1.0023   1.000000
3)       38.0000   1.8000   1.622910   58.30
*4)       17.5155  13.7363   1.000000
5)     -135.7140   1.6000   1.593190   67.90
6)       48.9808   6.5355   1.000000
7)      861.6049   2.4809   1.620040   36.40
8)       31.3689   9.0000   1.851500   40.78
9)     -150.1624   3.1783   1.000000
10)       40.3712   5.2632   1.851500   40.78
11)     1025.5030    可変    1.000000
12)       32.7343   4.0000   1.497820   82.57
13)     -155.0414   1.2000   1.808090   22.74
14)       62.0187    可変    1.000000
15)(絞りＳ)  ∞      可変    1.000000
*16)      -45.5353   2.0000   1.860999   37.10
*17)      -52.3373   1.5881   1.000000
18)       60.0000   7.3310   1.497820   82.57
19)      -19.2015    可変    1.000000
*20)      -27.0655   1.2000   1.689480   31.02
21)       81.9849   1.4246   1.000000
*22)       43.0859   4.0000   1.882023   37.22
23)    -1000.0000  17.7393   1.000000
24)          ∞     1.6000   1.516800   63.88
25)          ∞     1.0000   1.000000
像面         ∞
［非球面データ］
面番号    κ        A4           A6           A8           A10          A12
4    0.0000  1.52130E-05 -1.37943E-09  1.13792E-10 -3.10899E-13  0.49329E-15
16    0.0000 -3.46585E-05  1.35812E-08  1.68641E-09 -1.95052E-11  0.59812E-13
17    1.0000  2.60772E-06  8.97314E-08  1.41490E-09 -1.26537E-11  0.35190E-13
20    1.5918  1.23579E-04 -8.07461E-07  5.37616E-09 -2.11181E-11  0.34821E-13
22    1.0000 -8.27671E-05  4.88811E-07 -2.91586E-09  9.85401E-12 -0.14168E-13
［各種データ］
ｆ            20.0000
Ｆno           1.854
２ω          97.6294
Ｙmax         21.60
ＴＬ         114.09
空気換算ＴＬ 113.5448
Ｂｆ          20.33935
空気換算Ｂｆ  19.79415
Ａinf         48.68147
Ａmod         47.75113
無限遠     近距離
ｆ        20.0000
β                   -0.1987
ｄ0          ∞      80.5848
ｄ11       8.0031     5.1763
ｄ14       5.0918     7.9186
ｄ15       7.1424     4.7424
ｄ19       4.1730     6.5730
２ω      97.6294
ω        48.8147
［レンズ群データ］
群     始面       ｆ
GF       1      51.8791
GR      16      47.3528
GFA      1      59.9544
GFF     12    1108.3235
GRF     16      31.1504
GRB     20     -88.9793
［条件式対応値］
（１）  ＸＲＦ／ＸＦＦ＝0.8490
（２）  Ｂｆ／ｆ＝0.9897
（３）  ＳＴ／ＴＬ＝0.4285
（４）  βＲＦ／βＦＦ＝0.3388
（５）  （−ｆＲＢ）／ｆ＝4.4490
（６）  Ｂｆ／ＴＬ＝0.1743
（７）  ＸＲＦ／ｆ＝0.1200
（８）  ｆＲＦ／ｆＦＦ＝0.0281
（９）  ｆＦ／ｆＲ＝1.0956
（１０）  ｆＦＡ／ｆＦＦ＝0.0541
（１１）  ｆ／ｆＦＦ＝0.0180
（１２）  ｆ／ｆＲＦ＝0.6420
（１３）  ＴＬ／（Ｆno・Ｂｆ）＝3.0940
（１４）  ｜Ａinf−Ａmod｜／ｆ＝0.0465
（１５）  νＦＦｐ−νＦＦｎ＝59.8300
（１６）  （ＦＦｒ２＋ＦＦｒ１）／（ＦＦｒ２−ＦＦｒ１）＝0.6513
（１７）  ｎＲＢｐ−ｎＲＢｎ＝0.1925
（１８）  ｎＲＢｐ＋０．００５νＲＢｐ＝1.6719
（１９）  ｎＲＢｎ＋０．００５νＲＢｎ＝2.0681
【０１５９】
図１８（ａ）及び図１８（ｂ）はそれぞれ、第９実施例に係る光学系の無限遠物体合焦時及び近距離物体合焦時の諸収差図である。
【０１６０】
各収差図より、本実施例に係る光学系は、無限遠物体合焦時から近距離物体合焦時にわたって諸収差を良好に補正し優れた結像性能を有していることがわかる。
【０１６１】
（第１０実施例）
図１９（ａ）及び図１９（ｂ）はそれぞれ、第１０実施例に係る光学系の無限遠物体合焦時及び近距離物体合焦時の断面図である。
第９実施例に係る光学系は、物体側から順に、正の屈折力を有する前群ＧＦと、開口絞りＳと、正の屈折力を有する後群ＧＲとから構成されている。なお、像面Ｉの物体側近傍にはフィルタＦが配置されている。
【０１６２】
前群ＧＦは、物体側から順に、正の屈折力を有する正レンズ群ＧＦＡと、正の屈折力を有する前側合焦群ＧＦＦとからなる。
正レンズ群ＧＦＡは、物体側から順に、物体側に凸面を向けた負メニスカスレンズＬ１と、物体側に凸面を向けた負メニスカスレンズＬ２と、像側に凸面を向けた正メニスカスレンズＬ３と、両凹形状の負レンズＬ４と両凸形状の正レンズＬ５との接合レンズと、両凸形状の正レンズＬ６とからなる。
前側合焦群ＧＦＦは、物体側から順に、両凸形状の正レンズＬ７と両凹形状の負レンズＬ８との接合レンズからなる。
【０１６３】
後群ＧＲは、物体側から順に、正の屈折力を有する後側合焦群ＧＲＦと、負の屈折力を有する負レンズ群ＧＲＢとからなる。
後側合焦群ＧＲＦは、物体側から順に、像側に凸面を向けた負メニスカスレンズＬ９と、両凸形状の正レンズＬ１０とからなる。
負レンズ群ＧＲＢは、両凹形状の負レンズＬ１１からなる。
【０１６４】
第１０実施例に係る光学系では、前側合焦群ＧＦＦと後側合焦群ＧＲＦを光軸に沿って物体側へ移動させることにより無限遠物体から近距離物体への合焦を行う。なお、合焦時、正レンズ群ＧＦＡ、開口絞りＳ及び負レンズ群ＧＲＢの位置は固定である。
以下の表１０に、第１０実施例に係る光学系の諸元の値を掲げる。
【０１６５】
（表１０）第１０実施例
[面データ]
面番号        ｒ       ｄ       ｎｄ     νｄ
物面         ∞              1.000000
1)      105.7357   2.3000   1.785897   43.93
2)       30.3881   7.3810   1.000000
3)       55.0000   2.0000   1.658441   50.88
*4)       18.9645  13.6074   1.000000
5)     -171.0476   4.6738   1.785896   44.20
6)      -49.1804   3.4817   1.000000
7)      -43.6767   1.7001   1.603420   38.01
8)       37.4040   8.0414   1.851500   40.78
9)     -251.6551   4.7235   1.000000
10)       37.7511   6.3961   1.851500   40.78
11)     -472.8256    可変    1.000000
12)(仮想面)  ∞     0.0000   1.000000
13)       56.1535   4.8469   1.497820   82.57
14)      -61.5295   1.7129   1.808090   22.74
15)      251.7243    可変    1.000000
16)(絞りＳ)  ∞      可変    1.000000
*17)      -60.5230   1.2000   1.860999   37.10
*18)     -100.0047   1.3930   1.000000
19)       59.4711   7.5979   1.497820   82.57
20)      -16.5046    可変    1.000000
*21)     -554.5946   1.3092   1.740769   27.79
*22)       32.1694  17.9272   1.000000
23)          ∞     1.6000   1.516800   64.13
24)          ∞     0.9825   1.000000
像面         ∞
［非球面データ］
面番号    κ        A4           A6           A8           A10          A12
4    0.0000  9.44198E-06 -7.85173E-10  1.82058E-11 -5.42737E-14  0.53658E-16
17    1.0000 -3.05779E-05 -1.19989E-07 -2.26470E-09  4.74211E-12 -0.32614E-15 
18    1.0000  1.85793E-05  6.97129E-09 -1.71822E-09  6.73792E-12  0.27686E-13
21    1.0000 -2.35430E-05 -5.88083E-08  1.25271E-09 -1.14966E-11  0.26434E-13
22    1.0000 -1.41315E-05 -1.06653E-07  1.37968E-09 -9.70244E-12  0.22570E-13
［各種データ］
ｆ            20.6000
Ｆno           1.85674
２ω          95.6062
Ｙmax         21.60
ＴＬ         114.98248
空気換算ＴＬ 114.43728
Ｂｆ          20.50968
空気換算Ｂｆ  19.96448
Ａinf         48.46075
Ａmod         48.04852
無限遠     近距離
ｆ        20.6000
β                   -0.1881
ｄ0          ∞      87.1901
ｄ11       5.6564     2.5472
ｄ15       4.2430     7.3520
ｄ16       8.5222     6.5750
ｄ20       3.6864     5.6336
２ω      95.6062
ω        47.8031
［レンズ群データ］
群     始面       ｆ
GF       1      33.8040
GR      17      81.1675
GFA      1      37.0214
GFF     12    1160.9972
GRF     17      30.1283
GRB     21     -41.0072
［条件式対応値］
（１）  ＸＲＦ／ＸＦＦ＝0.6263
（２）  Ｂｆ／ｆ＝0.9691
（３）  ＳＴ／ＴＬ＝0.3816
（４）  βＲＦ／βＦＦ＝0.4486
（５）  （−ｆＲＢ）／ｆ＝1.9906
（６）  Ｂｆ／ＴＬ＝0.1745
（７）  ＸＲＦ／ｆ＝0.0945
（８）  ｆＲＦ／ｆＦＦ＝0.0260
（９）  ｆＦ／ｆＲ＝0.4165
（１０）  ｆＦＡ／ｆＦＦ＝0.0319
（１１）  ｆ／ｆＦＦ＝0.0177
（１２）  ｆ／ｆＲＦ＝0.6837
（１３）  ＴＬ／（Ｆno・Ｂｆ）＝3.0872
（１４）  ｜Ａinf−Ａmod｜／ｆ＝0.0200
（１５）  νＦＦｐ−νＦＦｎ＝59.8300
（１６）  （ＦＦｒ２＋ＦＦｒ１）／（ＦＦｒ２−ＦＦｒ１）＝0.0457
（１９）  ｎＲＢｎ＋０．００５νＲＢｎ＝1.8797
【０１６６】
図２０（ａ）及び図２０（ｂ）はそれぞれ、第１０実施例に係る光学系の無限遠物体合焦時及び近距離物体合焦時の諸収差図である。
各収差図より、本実施例に係る光学系は、無限遠物体合焦時から近距離物体合焦時にわたって諸収差を良好に補正し優れた結像性能を有していることがわかる。
【０１６７】
（第１１実施例）
図２１（ａ）及び図２１（ｂ）はそれぞれ、第１１実施例に係る変倍光学系の広角端状態及び望遠端状態における無限遠物体合焦時の断面図である。
第１１実施例に係る変倍光学系は、物体側から順に、正の屈折力を有する前群ＧＦと、開口絞りＳと、正の屈折力を有する後群ＧＲとから構成されている。なお、像面Ｉの物体側近傍にはフィルタＦが配置されている。
【０１６８】
前群ＧＦは、物体側から順に、正の屈折力を有する正レンズ群ＧＦＡと、正の屈折力を有する前側合焦群ＧＦＦとからなる。
正レンズ群ＧＦＡは、物体側から順に、負の屈折力を有する負レンズ群ＧＦＡ１と、正の屈折力を有する正レンズ群ＧＦＡ２とからなる。
負レンズ群ＧＦＡ１は、物体側から順に、物体側に凸面を向けた負メニスカスレンズＬ１と、物体側に凸面を向けた負メニスカスレンズＬ２と、物体側に凸面を向けた正メニスカスレンズＬ３とからなる。
正レンズ群ＧＦＡ２は、物体側から順に、物体側に凸面を向けた負メニスカスレンズＬ４と両凸形状の正レンズＬ５との接合レンズからなる。
前側合焦群ＧＦＦは、物体側から順に、両凸形状の正レンズＬ６と両凹形状の負レンズＬ７との接合レンズからなる。
【０１６９】
後群ＧＲは、物体側から順に、正の屈折力を有する後側合焦群ＧＲＦと、負の屈折力を有する負レンズ群ＧＲＢとからなる。
後側合焦群ＧＲＦは、物体側から順に、両凸形状の正レンズＬ８と、物体側に凸面を向けた負メニスカスレンズＬ９と両凸形状の正レンズＬ１０との接合レンズとからなる。
負レンズ群ＧＲＢは、両凹形状の負レンズＬ１１と、物体側に凸面を向けた平凸形状の正レンズＬ１２とからなる。
【０１７０】
第１１実施例に係る変倍光学系では、広角端状態から望遠端状態への変倍時に、負レンズ群ＧＦＡ１と正レンズ群ＧＦＡ２の間隔が減少し、後側合焦群ＧＲＦと負レンズ群ＧＲＢの間隔が増加するように、負レンズ群ＧＦＡ１が光軸に沿って像側へ移動し、正レンズ群ＧＦＡ２、前側合焦群ＧＦＦ、開口絞りＳ及び後側合焦群ＧＲＦが光軸に沿って物体側へ一体的に移動し、負レンズ群ＧＲＢが光軸に沿って物体側へ移動する。
【０１７１】
第１１実施例に係る変倍光学系では、前側合焦群ＧＦＦと後側合焦群ＧＲＦを光軸に沿って物体側へ移動させることにより無限遠物体から近距離物体への合焦を行う。なお、合焦時、負レンズ群ＧＦＡ１、正レンズ群ＧＦＡ２、開口絞りＳ及び負レンズ群ＧＲＢの位置は固定である。
以下の表１１に、第１１実施例に係る変倍光学系の諸元の値を掲げる。なお、表１０において、Ｗは広角端状態、Ｍは中間焦点距離状態、Ｔは望遠端状態をそれぞれ示す。
【０１７２】
（表１１）第１１実施例
[面データ]
面番号        ｒ       ｄ       ｎｄ     νｄ
物面         ∞              1.000000
1)      109.0633   2.7000   1.638540   55.34
*2)       18.2077  12.4865   1.000000
3)      495.8681   2.0000   1.832199   40.10
*4)       44.2568   9.5236   1.000000
5)       52.5025   4.8000   1.903658   31.31
6)      159.6343    可変    1.000000
7)       57.0442   1.3000   1.903658   31.31
8)       30.3255   4.5545   1.834000   37.18
9)     -195.4912    可変    1.000000
10)       34.2035   4.3182   1.487490   70.32
11)      -47.4756   2.2701   1.784696   26.29
12)      111.8345    可変    1.000000
13)(絞りＳ)  ∞     3.0000   1.000000
14)(仮想面)  ∞      可変    1.000000
*15)       47.8005   3.0298   1.801000   34.92
*16)      -89.2527   1.3930   1.000000
17)      147.9048   1.2000   1.717000   47.97
18)       18.1175   5.5049   1.497820   82.57
19)      -21.4691    可変    1.000000
*20)      -28.3302   1.3000   1.800999   34.97
21)       40.6201   1.9545   1.000000
*22)       42.1307   3.1144   1.516800   64.13
23)          ∞    19.0966   1.000000
24)          ∞     1.6000   1.516800   64.13
25)          ∞      可変    1.000000
像面         ∞
［非球面データ］
面番号    κ        A4           A6           A8           A10          A12
2    0.0000  8.83674E-06  1.69121E-08 -7.80852E-13 -2.62893E-14  0.29153E-15
4    0.0000  4.63846E-06 -4.54541E-09  8.68492E-12 -6.95178E-14  0.99796E-16
15    0.0000 -1.84011E-05 -1.16137E-07  2.01508E-10 -2.76953E-11 -0.12398E-12
16    1.0000  2.48230E-06 -1.38570E-08 -4.12767E-09  5.44261E-11 -0.60620E-12
20    0.0000  6.56671E-05 -4.14077E-07  7.30290E-11  2.75237E-11 -0.16734E-12
22    1.0000 -9.56724E-05  5.39674E-07 -2.04380E-09  1.77405E-14  0.25533E-13
［各種データ］
変倍比         1.31707
Ｗ         Ｍ         Ｔ
ｆ            20.5000    23.87447   27.0000
Ｆno           3.98168    4.21631    4.45032
２ω          99.4639               78.1570
Ｙmax         22.10      22.10      22.10
ＴＬ         124.40748  117.05375  112.89064
空気換算ＴＬ 123.86228  116.50855  112.34544
Ｂｆ          21.65029   23.31104   25.1404
空気換算Ｂｆ  21.10509   22.76584   24.5952
Ａinf         49.6919    43.47611   39.14618
Ａmod         49.31936   43.09172   38.74231
Ｗ         Ｗ         Ｔ         Ｔ
無限遠     近距離     無限遠     近距離
ｆ        20.5000               27.0000
β                   -0.0971               -0.0976
ｄ0          ∞     190.2532       ∞     259.2733
ｄ6       19.4177    19.4177     3.0621     3.0622
ｄ9        5.8637     4.8842     5.8637     4.6753
ｄ12       4.0208     5.0002     4.0208     5.2088
ｄ14       5.4611     4.9170     5.4611     4.8304
ｄ19       3.5448     4.0891     4.8933     5.5240
ｄ25       0.9537     0.9537     4.4438     4.4438
２ω      99.4639               78.1570
ω        49.7319               39.0785
［レンズ群データ］
Ｗ         Ｔ
群     始面       ｆ         ｆ
GF       1      53.8809   118.2665
GR      15      75.7150    66.6110
GFA1     1     -32.1287
GFA2     7      56.6718
GFA      1      71.4662   199.6032
GFF     10     625.4485
GRF     15      25.9374
GRB     20     -28.8034
［条件式対応値］
（１）  ＸＲＦ／ＸＦＦ＝0.5556
（２）  Ｂｆ／ｆ＝1.0295
（３）  ＳＴ／ＴＬ＝0.4086
（４）  βＲＦ／βＦＦ＝0.2630
（５）  （−ｆＲＢ）／ｆ＝1.4050
（６）  Ｂｆ／ＴＬ＝0.1704
（７）  ＸＲＦ／ｆ＝0.0266
（８）  ｆＲＦ／ｆＦＦ＝11.0363
（９）  ｆＦ／ｆＲ＝0.7116
（１０）  ｆＦＡ／ｆＦＦ＝0.1143(広角端)、0.3191(望遠端)
（１１）  ｆ／ｆＦＦ＝0.0328
（１２）  ｆ／ｆＲＦ＝0.7904
（１３）  ＴＬ／（Ｆno・Ｂｆ）＝1.4740
（１４）  ｜Ａinf−Ａmod｜／ｆ＝0.0182
（１５）  νＦＦｐ−νＦＦｎ＝44.0300
（１６）  （ＦＦｒ２＋ＦＦｒ１）／（ＦＦｒ２−ＦＦｒ１）＝0.1625
（１７）  ｎＲＢｐ−ｎＲＢｎ＝-0.2842
（１８）  ｎＲＢｐ＋０．００５νＲＢｐ＝1.8375
（１９）  ｎＲＢｎ＋０．００５νＲＢｎ＝1.9758
【０１７３】
図２２（ａ）及び図２２（ｂ）はそれぞれ、第１１実施例に係る変倍光学系の広角端状態における無限遠物体合焦時及び近距離物体合焦時の諸収差図である。
図２３（ａ）及び図２３（ｂ）はそれぞれ、第１１実施例に係る変倍光学系の望遠端状態における無限遠物体合焦時及び近距離物体合焦時の諸収差図である。
各収差図より、本実施例に係る変倍光学系は、各焦点距離状態において無限遠物体合焦時から近距離物体合焦時にわたって諸収差を良好に補正し優れた結像性能を有していることがわかる。
【０１７４】
上記各実施例によれば、ミラーレスカメラに好適であり、合焦群の軽量化を図りつつ合焦時の諸収差の変動を抑えて良好な光学性能を有する光学系を実現することができる。
【０１７５】
なお、上記各実施例は本願発明の一具体例を示しているものであり、本願発明はこれらに限定されるものではない。以下の内容は、本実施形態の光学系の光学性能を損なわない範囲で適宜採用することが可能である。
【０１７６】
本実施形態の光学系の実施例として２群構成のものを示したが、本願はこれに限られず、その他の群構成（例えば、３群等）の光学系を構成することもできる。具体的には、上記各実施例の光学系の最も物体側や最も像側等にレンズ又はレンズ群を追加した構成でも構わない。また、前群及び後群は、２群又は３群構成のものを示したが、本願はこれに限られず、その他の群構成（例えば、４群等）とすることもできる。具体的には、上記各実施例の前群の最も物体側や最も像側、正レンズ群と前側合焦群の間、後群の最も物体側や最も像側、後側合焦群と負レンズ群の間等にレンズ又はレンズ群を追加した構成でも構わない。
【０１７７】
上記各実施例の光学系は、前側合焦群及び後側合焦群を合焦レンズ群としている。斯かる合焦レンズ群は、オートフォーカスに適用することも可能であり、オートフォーカス用のモータ、例えば超音波モータ、ステッピングモータ、ＶＣＭモータ等による駆動にも適しており、高速なオートフォーカスとオートフォーカス時の静粛性を良好に達成することができる。
【０１７８】
また、上記各実施例の光学系は、いずれかのレンズ群全体又はその一部を防振レンズ群として光軸に対して垂直な方向の成分を含むように移動させ又は光軸を含む面内方向へ回転移動（揺動）させることにより、防振を行う構成とすることもできる。
また、上記各実施例の光学系における開口絞りは、開口絞りとして部材を設けずにレンズ枠でその役割を代用する構成としてもよい。
【０１７９】
また、上記各実施例の光学系を構成するレンズのレンズ面は、球面又は平面としてもよく、或いは非球面としてもよい。また、各レンズは、ガラス素材で形成されていても、樹脂素材で形成されていても、又はガラス素材と樹脂素材との複合でもよい。レンズ面が球面又は平面の場合、レンズ加工及び組立調整が容易になり、レンズ加工及び組立調整の誤差による光学性能の劣化を防ぐことができるため好ましい。また、像面がずれた場合でも描写性能の劣化が少ないため好ましい。レンズ面が非球面の場合、研削加工による非球面、ガラスを型で非球面形状に成型したガラスモールド非球面、又はガラス表面に設けた樹脂を非球面形状に形成した複合型非球面のいずれでもよい。また、レンズ面は回折面としてもよく、レンズを屈折率分布型レンズ（ＧＲＩＮレンズ）或いはプラスチックレンズとしてもよい。
【０１８０】
また、上記各実施例の光学系を構成するレンズのレンズ面に、反射防止膜を施してもよい。これにより、フレアやゴーストを軽減し、高コントラストの高い光学性能を達成することができる。特に、上記各実施例の光学系は最も物体側から数えて２番目のレンズの物体側のレンズ面に反射防止膜を施すことが好ましい。
【０１８１】
次に、本実施形態の光学系を備えたカメラを図２４に基づいて説明する。
図２４は本実施形態の光学系を備えたカメラの構成を示す図である。
図２４に示すようにカメラ１は、撮影レンズ２として上記第１実施例に係る光学系を備えたレンズ交換式のミラーレスカメラである。
【０１８２】
本カメラ１において、不図示の物体（被写体）からの光は、撮影レンズ２で集光されて、不図示のＯＬＰＦ（Optical low pass filter：光学ローパスフィルタ）を介して撮像部３の撮像面上に被写体像を形成する。そして、撮像部３に設けられた光電変換素子によって被写体像が光電変換されて被写体の画像が生成される。この画像は、カメラ１に設けられたＥＶＦ（Electronic view finder：電子ビューファインダ）４に表示される。これにより撮影者は、ＥＶＦ４を介して被写体を観察することができる。
また、撮影者によって不図示のレリーズボタンが押されると、撮像部３で生成された被写体の画像が不図示のメモリに記憶される。このようにして、撮影者は本カメラ１による被写体の撮影を行うことができる。
【０１８３】
本カメラ１は、撮影レンズ２として上記第１実施例に係る光学系を搭載したことにより、ミラーレスカメラに好適であり、合焦群の軽量化を図りつつ合焦時の諸収差の変動を抑えて良好な光学性能を実現することができる。
【０１８４】
なお、上記第２〜第１１実施例に係る光学系を撮影レンズ２として搭載したカメラを構成しても、上記カメラ１と同様の効果を奏することができる。また、クイックリターンミラーを有し、ファインダ光学系によって被写体を観察する一眼レフタイプのカメラに上記各実施例に係る光学系を搭載した場合でも、上記カメラ１と同様の効果を奏することができる。
【０１８５】
最後に、本実施形態の光学系の製造方法の概略を図２５に基づいて説明する。
図２５は本実施形態の光学系の製造方法の概略を示す図である。
図２５に示す本実施形態の光学系の製造方法は、物体側から順に、正の屈折力を有する前群と、開口絞りと、後群とからなる光学系の製造方法であって、以下のステップＳ１〜Ｓ５を含むものである。
【０１８６】
ステップＳ１：前群、開口絞り及び後群を準備し、鏡筒内に物体側から順に配置する。
ステップＳ２：前群が正の屈折力を有する前側合焦群を有するようにする。
ステップＳ３：後群が正の屈折力を有する後側合焦群を有するようにする。
ステップＳ４：合焦時に前側合焦群と合焦群が物体側に移動するようにする。
【０１８７】
ステップＳ５：前側合焦群と後側合焦群が以下の条件式（１）を満足するようにする。
（１）０．２５０＜ＸＲＦ／ＸＦＦ＜１．５００
ただし、
ＸＦＦ：無限遠物体から近距離物体への合焦時の前側合焦群の移動量
ＸＲＦ：無限遠物体から近距離物体への合焦時の後側合焦群の移動量
【０１８８】
斯かる本実施形態の光学系の製造方法によれば、ミラーレスカメラに好適であり、合焦群の軽量化を図りつつ合焦時の諸収差の変動を抑えて良好な光学性能を有する光学系を製造することができる。
【符号の説明】
【０１８９】
ＧＦＡ：正レンズ群、ＧＦＦ：前側合焦群、ＧＲＦ：後側合焦群、ＧＲＢ：負レンズ群、Ｓ：開口絞り、Ｉ：像面
【図１】
2019113576.tif 000003
【図２】
2019113576.tif 000004
【図３】
2019113576.tif 000005
【図４】
2019113576.tif 000006
【図５】
2019113576.tif 000007
【図６】
2019113576.tif 000008
【図７】
2019113576.tif 000009
【図８】
2019113576.tif 000010
【図９】
2019113576.tif 000011
【図１０】
2019113576.tif 000012
【図１１】
2019113576.tif 000013
【図１２】
2019113576.tif 000014
【図１３】
2019113576.tif 000015
【図１４】
2019113576.tif 000016
【図１５】
2019113576.tif 000017
【図１６】
2019113576.tif 000018
【図１７】
2019113576.tif 000019
【図１８】
2019113576.tif 000020
【図１９】
2019113576.tif 000021
【図２０】
2019113576.tif 000022
【図２１】
2019113576.tif 000023
【図２２】
2019113576.tif 000024
【図２３】
2019113576.tif 000025
【図２４】
2019113576.tif 000026
【図２５】
2019113576.tif 000027